(57)【要約】本発明のマッサージ器及びマッサージ方法は、ステーと、ステーに設けられる操作部と、ステーに回転可能に装着されるローラとからなり、前記ローラを、手足を挟持させるようにステーに組付けされる複数のローラで構成し、前記操作部の操作によりステーの傾斜度を変えることで複数のローラ間の距離が調整されることを特徴とする。したがって、手足の形状に適合させるように、操作部を操作し、ステーを手足の形状に応じて傾斜させることで、ステーの傾斜度を変化させ、複数のローラ間の距離を調整することで、一定距離に固定されているローラ間に挟持される手足に沿ってスムーズで容易な転圧を提供することができる。
2003068129.tif 000002
【特許請求の範囲】
【請求項１】
ステーと、ステーに設けられる操作部と、ステーに回転可能に装着されるローラとからなるマッサージ器において、
上記ローラは、手足を挟持させるようにステーに組付けされる複数のローラで構成されるとともに、複数のローラ間のステーの延長方向に上記操作部が配置され、上記操作部の操作によりステーの傾斜度を変えることで複数のローラ間の距離が調整されて手足の形状に沿って転圧されることを特徴とするマッサージ器。
【請求項２】
請求項１記載のマッサージ器において、複数のローラは、手足に沿って同時に複数方向から移動自在に転圧することを特徴とするマッサージ器。
【請求項３】
請求項１又は２記載のマッサージ器において、操作部は、複数のローラ間のステーの延長方向から所望の傾斜角に配置されることを特徴とするマッサージ器。
【請求項４】
請求項１又は２記載のマッサージ器において、ローラは、ステーに回転可能に連結されるローラ本体部と、前記ローラ本体部の周囲に設けられる保護部材とで構成されることを特徴とするマッサージ器。
【請求項５】
請求項３記載のマッサージ器において、ローラは、ステーに回転可能に連結されるローラ本体部と、前記ローラ本体部の周囲に設けられる保護部材とで構成されることを特徴とするマッサージ器。
【請求項６】
請求項４記載のマッサージ器において、上記保護部材は、針入度の異なる弾性材から成ることを特徴とするマッサージ器。
【請求項７】
請求項５記載のマッサージ器において、上記保護部材は、針入度の異なる弾性材から成ることを特徴とするマッサージ器。
【請求項８】
請求項１又は２記載のマッサージ器において、ステーには、上記複数のローラの組付け位置を変更する組付調整機構が設けられることを特徴とするマッサージ器。
【請求項９】
請求項３記載のマッサージ器において、ステーには、上記複数のローラの組付け位置を変更する組付調整機構が設けられることを特徴とするマッサージ器。
【請求項１０】
請求項４記載のマッサージ器において、ステーには、上記複数のローラの組付け位置を変更する組付調整機構が設けられることを特徴とするマッサージ器。
【請求項１１】
請求項５〜７いずれか記載のマッサージ器において、ステーには、上記複数のローラの組付け位置を変更する組付調整機構が設けられることを特徴とするマッサージ器。
【請求項１２】
請求項１又は２記載のマッサージ器において、ステーは、伸縮調整機構が設けられていることを特徴とするマッサージ器。
【請求項１３】
請求項３記載のマッサージ器において、ステーは、伸縮調整機構が設けられていることを特徴とするマッサージ器。
【請求項１４】
請求項４記載のマッサージ器において、ステーは、伸縮調整機構が設けられていることを特徴とするマッサージ器。
【請求項１５】
請求項５〜７いずれか記載のマッサージ器において、ステーは、伸縮調整機構が設けられていることを特徴とするマッサージ器。
【請求項１６】
請求項８記載のマッサージ器において、ステーは、伸縮調整機構が設けられていることを特徴とするマッサージ器。
【請求項１７】
請求項９又は１０記載のマッサージ器において、ステーは、伸縮調整機構が設けられていることを特徴とするマッサージ器。
【請求項１８】
請求項１１記載のマッサージ器において、ステーは、伸縮調整機構が設けられていることを特徴とするマッサージ器。
【請求項１９】
請求項１又は２記載のマッサージ器において、複数のローラの間に配設されるステーには、バネ部材が設けられていることを特徴とするマッサージ器。
【請求項２０】
請求項３記載のマッサージ器において、複数のローラの間に配設されるステーには、バネ部材が設けられていることを特徴とするマッサージ器。
【請求項２１】
請求項４記載のマッサージ器において、複数のローラの間に配設されるステーには、バネ部材が設けられていることを特徴とするマッサージ器。
【請求項２２】
請求項５〜７いずれか記載のマッサージ器において、複数のローラの間に配設されるステーには、バネ部材が設けられていることを特徴とするマッサージ器。
【請求項２３】
請求項８記載のマッサージ器において、複数のローラの間に配設されるステーには、バネ部材が設けられていることを特徴とするマッサージ器。
【請求項２４】
請求項９又は１０記載のマッサージ器において、複数のローラの間に配設されるステーには、バネ部材が設けられていることを特徴とするマッサージ器。
【請求項２５】
請求項１１記載のマッサージ器において、複数のローラの間に配設されるステーには、バネ部材が設けられていることを特徴とするマッサージ器。
【請求項２６】
請求項１２記載のマッサージ器において、複数のローラの間に配設されるステーには、バネ部材が設けられていることを特徴とするマッサージ器。
【請求項２７】
請求項１３又は１４記載のマッサージ器において、複数のローラの間に配設されるステーには、バネ部材が設けられていることを特徴とするマッサージ器。
【請求項２８】
請求項１５記載のマッサージ器において、複数のローラの間に配設されるステーには、バネ部材が設けられていることを特徴とするマッサージ器。
【請求項２９】
請求項１６記載のマッサージ器において、複数のローラの間に配設されるステーには、バネ部材が設けられていることを特徴とするマッサージ器。
【請求項３０】
請求項１７記載のマッサージ器において、複数のローラの間に配設されるステーには、バネ部材が設けられていることを特徴とするマッサージ器。
【請求項３１】
請求項１８記載のマッサージ器において、複数のローラの間に配設されるステーには、バネ部材が設けられていることを特徴とするマッサージ器。
【請求項３２】
請求項１又は２記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３３】
請求項３記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３４】
請求項４記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３５】
請求項５〜７記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３６】
請求項８記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３７】
請求項９又は１０記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３８】
請求項１１記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３９】
請求項１２記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４０】
請求項１３又は１４記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４１】
請求項１５記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４２】
請求項１６記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４３】
請求項１７記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４４】
請求項１８記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４５】
請求項１９記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４６】
請求項２０又は２１記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４７】
請求項２２記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４８】
請求項２３記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４９】
請求項２４記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項５０】
請求項２５又は２６記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項５１】
請求項２７記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項５２】
請求項２８〜３１いずれか記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項５３】
ステーと、ステーに設けられる操作部と、ステーに回転可能に装着されるローラとからなるマッサージ器において、
ローラの両端には、ローラより拡径されてローラの回転とは独立して回転する走行輪が設けられ、手足に当接して回転する前記ローラが前記走行輪の回転とは独立して手足に沿って転圧することを特徴とするマッサージ器。
【請求項５４】
請求項５３記載のマッサージ器において、操作部には、前記ローラに略々平行に配置される取手部が設けられることを特徴とするマッサージ器。
【請求項５５】
請求項５３又は５４記載のマッサージ器において、前記ローラは、前記ステーの装着部に前記走行輪とともに一体に組付けされ、前記ステーと前記ローラとで囲まれて形成される挿入部から手足を挿入させることを特徴とするマッサージ器。
【請求項５６】
請求項５３又は５４記載のマッサージ器において、前記取手部から前記ローラまでの距離をＬ３とし、前記装着部の長さをＬ４としたときに、Ｌ３＞Ｌ４であることを特徴とするマッサージ器。
【請求項５７】
請求項５５記載のマッサージ器において、前記取手部から前記ローラまでの距離をＬ３とし、前記装着部の長さをＬ４としたときに、Ｌ３＞Ｌ４であることを特徴とするマッサージ器。
【請求項５８】
請求項５３又は５４記載のマッサージ器において、走行輪は着脱可能であることを特徴とするマッサージ器。
【請求項５９】
請求項５５記載のマッサージ器において、走行輪は着脱可能であることを特徴とするマッサージ器。
【請求項６０】
請求項５６記載のマッサージ器において、走行輪は着脱可能であることを特徴とするマッサージ器。
【請求項６１】
請求項５７記載のマッサージ器において、走行輪は着脱可能であることを特徴とするマッサージ器。
【請求項６２】
ステーと、ステーに設けられる操作部と、ステーに回転可能に装着されるローラとからなるマッサージ器を用いるマッサージ方法であって、手足を挟持させるように上記ステーに装着される複数のローラで構成されている上記ローラと上記ステーとで囲まれて形成される挿入部に手足を挿入し、複数のローラ間の上記ステーの延長方向に配置される上記操作部を操作して、ステーの傾斜度を変えることで複数のローラ間の距離を調整し、同時に複数方向から移動自在に複数のローラが手足に沿って転圧することを特徴とするマッサージ方法。
【請求項６３】
ステーと、ステーに設けられる操作部と、ステーに回転可能に装着されるローラとからなるマッサージ器を用いるマッサージ方法であって、上記ローラの両端には上記ローラより拡径されて独立に回転する走行輪が設けられ、上記ステーと上記ローラとを一体に組付けして形成される挿入部から手足を挿入して上記ローラに載設し、手足に当接して回転する上記ローラが上記走行輪の回転とは独立して手足に沿って転圧することを特徴とするマッサージ方法。
【請求項６４】
ステーと、ステーに設けられる操作部と、ステーに回転可能に装着されるローラとからなるマッサージ器を用いるマッサージ方法であって、上記ローラの両端に設けられる上記ローラより拡径されて独立に回転する走行輪を把持して、手足に上記ローラを押し当てて押圧するとともに、上記走行輪に独立して回転する上記ローラを手足に沿って転圧させることを特徴とするマッサージ方法。
【発明の詳細な説明】
技術分野
本発明は、マッサージ器に係り、詳しくは、下肢及び上肢の血液とリンパの循環を促すマッサージ器に関する技術分野に属する。
背景技術
従来、マッサージ器において、下肢のマッサージ器は、例えば、実用新案登録第３０４３７７７号公報に記載のものが知られている。
この実用新案登録第３０４３７７７号公報に開示されたマッサージ器は、一端側に折曲部を設けた２本のステーと、各折曲部に装着される回転可能なローラとからなり、２本のステーは連結ピンを介してＸ状に連結され、２本のステーの他端側にローラ側へ折曲した操作部が形成されている。
上記従来のマッサージ器では、操作部を操作してローラで下肢を挟み込み、下肢に沿ってローラを移動させることで下腿部、大腿部の筋肉のマッサージを提供している。
しかしながら、上記従来のマッサージ器は、様々な形状のローラを装着してマッサージを提供しているが、下肢の形状は一定の形状ではなく下腿部、大腿部においてその形状は異なる。また、下腿部において、足首から脹脛にかけてはその形状が大きく異なる。したがって、１つのローラでは、下肢全体を十分にマッサージすることは困難であり、下肢の形状に合わせてローラを交換することは、手間がかかり、下肢全体を十分にマッサージすることはできない課題を有している。
また、Ｘ状に連結された２本のステーの操作部を操作してローラの押圧を加減するため、下肢に沿ってローラを移動させる際のローラから下肢にかかる圧力は、下肢に沿ってローラを移動させるための力に分散され、ローラに伝達される圧力は、下肢のマッサージを行うために十分ではない課題を有している。
さらに、この従来のマッサージ器は、長尺状でありＸ状に連結された２本のステーの操作部を支持して操作しなければ、下肢を十分にマッサージすることができない。したがって、操作時の姿勢が制限され、下肢のマッサージ部に対して自由な操作を行うことができない課題を有する。
さらに、２本のステーで構成される操作部は、ステーの長さが長いため大腿部などの下肢上方部のマッサージにおいては操作性に乏しい。また、Ｘ状に連結された２本のステーで構成される操作部は、２方向の力で負荷を加えて下肢を挟み込むように操作してマッサージを行わなければならないため、操作し難い。よって、下肢全体の十分なマッサージを提供することは困難である課題も有している。
このような従来の課題を考慮して、本発明は、複数のローラ間のステーの延長方向に配置される操作部を操作してステーを傾斜させることによりステーの傾斜度を変え、一定のローラ間距離に組付けされている複数のローラ間距離を手足の形状に適合するように調整して手足を転圧するとともに、マッサージの患部にかかるローラによる押圧を使用者の操作により容易に加減させ、ローラによる押圧を弱めることなく手足に沿って移動可能とし、マッサージ器の操作時の使用姿勢を制限することなく自在な操作性を提供して、手足の全域におけるマッサージを提供することを課題とするものである。
発明の開示
上記課題を解決するため、本発明のマッサージ器及びマッサージ方法は、ステーと、ステーに設けられる操作部と、ステーに回転可能に装着されるローラとからなり、前記ローラを手足を挟持させるようにステーに組付けされる複数のローラで構成し、前記操作部の操作によりステーの傾斜度を変えることで複数のローラ間の距離が調整されることを特徴とする。
したがって、手足の形状に適合させるように、操作部を操作し、ステーを手足の形状に応じて傾斜させることで、ステーの傾斜度を変化させ、複数のローラ間の距離を調整することで、一定距離に固定されているローラ間に挟持される手足に沿ってスムーズで容易な転圧を提供することができる。
発明を実施するための最良の形態
第１の発明を実施するための最良の形態において、本発明に係るマッサージ器及びマッサージ方法を第１図〜第２８図に基づいて説明する。
本発明は、ステーと、ステーに設けられる操作部と、ステーに回転可能に装着されるローラとからなるマッサージ器において、上記ローラは、手足を挟持させるようにステーに組付けされる複数のローラで構成されるとともに、複数のローラ間のステーの延長方向に上記操作部が配置され、上記操作部の操作によりステーの傾斜度を変えることで複数のローラ間の距離が調整されて手足の形状に沿って転圧されることを特徴とするマッサージ器である。
上記手段では、手足を挟持するように組み付けられた複数のローラのローラ間距離が、手足の形状に適合するように操作部を操作し、ステーの傾斜度を変化させることで調整される。したがって、手足の形状に沿ってローラが転圧可能となる。
また、本発明では、上記マッサージ器において、複数のローラは、手足に沿って同時に複数方向から移動自在に転圧することを特徴とする。
上記手段では、手足が複数のローラにより挟持されるため、手足を確実にマッサージすると同時に、複数方向から手足が転圧されることが可能となる。
また、本発明では、上記マッサージ器において、操作部は、複数のローラ間のステーの延長方向から所望の傾斜角に配置されることを特徴とする。
上記手段では、操作部が複数のローラ間のステーの延長方向から所望の傾斜角に配置されることで、操作部の操作によるステーの傾斜が助成され、操作部が使用者の近傍に配設されることが可能となる。
また、本発明では、上記マッサージ器において、ローラは、ステーに回転可能に連結されるローラ本体部と、前記ローラ本体部の周囲に設けられる保護部材とで構成されることを特徴とする。
上記手段では、手足に当接する複数のローラの周囲を保護部材で構成することで、手足を保護するとともに、転圧する複数のローラによる負荷を緩衝させる。また、ステーに装着されるローラは、ローラ本体部によりステーに確実に連結される。
また、本発明では、上記マッサージ器において、上記保護部材は、針入度の異なる弾性材から成ることを特徴とする。
上記手段では、複数のローラに設けられる針入度の異なる保護部材により、異なる負荷を手足に提供することができる。
また、本発明では、上記マッサージ器において、ステーには、上記複数のローラの組付け位置を変更する組付調整機構が設けられることを特徴とする。
上記手段では、使用者の手足の大小に対応して、手足を挟持する複数のローラの組付け位置を調整し、マッサージを行う前に複数のローラ間の距離の初期設定を変更することができる。
また、本発明では、上記マッサージ器において、ステーは、伸縮調整機構が設けられていることを特徴とする。
上記手段では、マッサージ器の使用姿勢に対応して、ステーが伸縮調整機構により伸縮して、操作部が使用者の近傍に配設されることが可能となる。また、複数のローラ間のステーに伸縮調整機構を設けることで、使用者の手足の大きさに適合させて複数のローラ間の距離を設定することが可能となる。
また、本発明では、上記マッサージ器において、複数のローラの間に配設されるステーには、バネ部材が設けられていることを特徴とする。
上記手段では、複数のローラにより転圧される際の負荷をバネ材により加減することができ、ステーの傾斜による複数のローラ間の距離の調整を助成することができる。
また、本発明では、上記マッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とする。
上記手段では、ステーに装着される第１ローラ及び第２ローラにより挟持される手足は、第１ローラ及び第２ローラが支点又は作用点となって、テコの原理により力点となる操作部に負荷される力により、過度の負荷を生じさせることなく、効率よく第１ローラ及び第２ローラから手足に伝達される。
また、本発明では、ステーと、ステーに設けられる操作部と、ステーに回転可能に装着されるローラとからなるマッサージ器において、ローラの両端には、ローラより拡径されてローラの回転とは独立して回転する走行輪が設けられ、手足に当接して回転する前記ローラが前記走行輪の回転とは独立して手足に沿って転圧することを特徴とするマッサージ器である。
上記手段では、ローラと独立して走行する走行輪により手足の自重圧の反力が利用されて手足を転圧し、ローラの両端に設けられる走行輪によって手足は、正確にローラに載設されて転圧される。
また、本発明では、上記マッサージ器において、操作部には、前記ローラに略々平行に配置される取手部が設けられることを特徴とする。
上記手段では、手足に沿って移動するローラの移動方向と取手部の操作方向を略一致させる。
また、本発明では、上記マッサージ器において、前記ローラは、前記ステーの装着部に前記走行輪とともに一体に組付けされ、前記ステーと前記ローラとで囲まれて形成される挿入部から手足を挿入させることを特徴とする。
上記手段では、ステーとローラとで囲まれて形成される挿入部から挿入される手足は、確実にローラに載設される。
また、本発明では、上記マッサージ器において、前記取手部から前記ローラまでの距離をＬ３とし、前記装着部の長さをＬ４としたときに、Ｌ３＞Ｌ４であることを特徴とする。
上記手段では、挿入部から挿入される手足に沿って転圧するローラの移動が円滑に行われる。
また、本発明では、上記マッサージ器において、走行輪は着脱可能であることを特徴とする。
上記手段では、径の異なる走行輪に変更可能となる。
また、本発明では、上記マッサージ器のマッサージ方法であって、ステーと、ステーに設けられる操作部と、ステーに回転可能に装着されるローラとからなるマッサージ器を用いるマッサージ方法であって、手足を挟持させるように上記ステーに装着される複数のローラで構成されている上記ローラと上記ステーとで囲まれて形成される挿入部に手足を挿入し、複数のローラ間の上記ステーの延長方向に配置される上記操作部を操作して、ステーの傾斜度を変えることで複数のローラ間の距離を調整し、同時に複数方向から移動自在に複数のローラが手足に沿って転圧することを特徴とするマッサージ方法である。
上記手段では、挿入部から手足を挿入させることで、ステーの傾斜度を変化させることによる複数のローラ間の距離の調整が、マッサージ器から手足が離脱することなく行われ、転圧する複数のローラの移動が手足に沿って導かれる。
また、本発明では、上記マッサージ器のマッサージ方法であって、ステーと、ステーに設けられる操作部と、ステーに回転可能に装着されるローラとからなるマッサージ器を用いるマッサージ方法であって、上記ローラの両端には上記ローラより拡径されて独立に回転する走行輪が設けられ、上記ステーと上記ローラとを一体に組付けして形成される挿入部から手足を挿入して上記ローラに載設し、手足に当接して回転する上記ローラが上記走行輪の回転とは独立して手足に沿って転圧することを特徴とするマッサージ方法である。
上記手段では、挿入部から手足を挿入させることで、両端に走行輪が設けられるローラに手足が載設され、走行輪とローラのそれぞれ独立した回転を阻害することなく手足に沿ってローラを移動させて転圧することができる。したがって、挿入部から挿入された手足をローラ上に安定に載設させながら、片手で操作部を把持して転圧することが可能となる。
また、本発明では、上記マッサージ器のマッサージ方法であって、ステーと、ステーに設けられる操作部と、ステーに回転可能に装着されるローラとからなるマッサージ器を用いるマッサージ方法であって、上記ローラの両端に設けられる上記ローラより拡径されて独立に回転する走行輪を把持して、手足に上記ローラを押し当てて押圧するとともに、上記走行輪に独立して回転する上記ローラを手足に沿って転圧させることを特徴とするマッサージ方法である。
上記手段では、ローラに独立に回転してローラよりも拡径に形成された走行輪を把持することで、手足に押し当てられたローラは円滑に回転しながら手足に沿って転圧する。
以下、第１の発明を実施するための最良の形態におけるマッサージ器及びマッサージ方法の実施の形態を図面に基づいて説明する。
第１図〜第７図は、本発明に係るマッサージ器の実施の形態（１）を示すものである。
この実施の形態（１）のマッサージ器１は、ステー１０と、ステー１０に装着される第１ローラ２０及び第２ローラ３０と、第１ローラ及び第２ローラ間のステー１０の延長方向へ延設される操作部３とで構成され、ステー１０と、第１ローラ２０及び第２ローラ３０と、操作部３とが一体に組付けされている。
ステー１０は、略々コの字状に形成され、パイプ状の鋼材等を用いることが望ましい。略々コの字状のステー１０の開放部１１に対向する基部１２と、基部１２に隣接する側部１３及び１４で構成され、側部１３及び１４に後述する操作部３が配設される。基部１２は、後述する第１ローラ２０の幅長よりも大きく形成されている。
第１ローラ２０は、ローラ本体部２１と保護部材２２とで構成される。
ローラ本体部２１は、中心部にステー１０が挿入できる孔４１を備えたベアリング４０が設置可能な溝２１ａが設けられていて、幅方向には、ステー１０が挿入される挿入孔２１ｂが穿孔されている。また、ローラ本体部２１は、ベアリング４０及びステー１０に回転可能に転結されるため、金属材やプラスチック材等の剛性の高いもので成形されることが望ましい。
保護部材２２は、弾性材からなり、針入度がα、厚さがｗ１に形成されている。この保護部材２２は、ローラ本体部２１の外表面を被覆するようにローラ本体部２１に設置される。
第２ローラ３０は、ローラ本体部３１と保護部材３２とで構成される。
ローラ本体部３１は、中心部にベアリング４０ａが設置可能な溝３１ａが設けられ、幅方向には挿入孔３１ｂが穿孔されている。また、ベアリング４０ａの中心部には、孔４１ａが形成されて、ステー１０に連結ピン５１を介して連結される連結杆５０が挿入孔３１ｂ及び孔４１ａに挿入されて設置される。また、ローラ本体部２１と同様に、金属材やプラスチック材等の剛性の高いもので成形されることが望ましい。連結杆５０は、ステー１０と同様にパイプ状の鋼材等を用い、長さは、ローラ本体部３１よりも長く形成されている。
保護部材３２は、弾性材からなり、針入度がβ、厚さがｗ２に形成されている。この保護部材３２は、ローラ本体部３１の外表面を被覆するようにローラ本体部３１に設置される。また、第１ローラ２０に設置される保護部材２１の厚さｗ１よりも厚いｗ２で形成され、ｗ１＜ｗ２となっている。
このように構成される第１ローラ２０は、ステー１０の基部１２に幅方向の両側に設けられるベアリング４０を介して、回転可能にステー１０に装着される。また、基部１２に沿って第１ローラ２０が移動してガタ付かないように、両側にガタ付き防止用に止金２４がそれぞれ設けられている。第２ローラ３０は、ベアリング４０ａを介して、連結杆５０が挿入孔３１ｂに挿入され、ステー１０と連結杆５０が連結部５２において連結ピン５１で一体に組付けされる。また、第１ローラ２０と同様に、ガタ付き防止用の止金３４が設けられている。ローラ本体部２１及び保護部材２２の幅長は共にＤ１であり、ローラ本体部３１及び保護部材３２の幅長は共にＤ２となっている。
操作部３は、第２ローラ３０がステー１０に連結されている連結部５２からステー１０の側部１３、１４の端部までとなる。また、基部１２から連結部５２までの距離はＬ１、連結部５２からステー１０の側部１３、１４の端部までの距離はＬ２であり、Ｌ１＜Ｌ２となるように構成されている。
ステー１０の側部１３、１４の端部には、円筒状に形成された取手部４が設けられている。この取手部４は把持可能な大きさで表面が滑らかに形成され、プラスチック材や木材等を用いることが望ましい。
また、第３図に示すように、ステー１０は、連結部５２から折曲されて、その傾斜角は、ステー１０から操作部３までθ°となっている。また、操作部３は傾斜角θ°内で、ステー１０の弾性により傾倒可能となっている。
このように構成される実施の形態（１）のマッサージ器１は、第１ローラ２０と第２ローラ３０とで挟み込むように下肢２００を第１ローラ２０及び第２ローラ３０との間に挿入し、両手で操作部３を把持して、大腿部及び下腿部等の下肢２００全体の血液とリンパの循環を促すマッサージを行うことが可能となる構成となっている。
次に、マッサージ器１の使用方法について説明する。
ステー１０が連結部５２から折曲されている内側方向から、第１ローラ２０と第２ローラ３０との間に形成される挿入部１０１から下肢２００を挿入させ、両手で操作部３の端部の取手部４を把持する。ステー１０に対して鉛直方向の第１ローラ２０及び第２ローラ３０間の距離をローラ間距離Ｌとする。
第５図に示すように、下肢２００のつま先部２３０側の下腿部２１０ａを挟持するマッサージ器１の状態をＡ状態とした場合、下肢２００の基準軸として基準線Ｇが決まる。Ａ状態のマッサージ器１の第１ローラ２０及び第２ローラ３０間のステー１０は、基準線Ｇに対して傾斜度θａで傾斜している。よって、基準線Ｇに対して鉛直方向の第１ローラ２０及び第２ローラ３０間の距離をローラ間距離Ｌ´とすると、Ａ状態におけるローラ間距離Ｌ´ａはＬＳｉｎθａとなり、ステー１０の傾斜により、第１ローラ２０及び第２ローラ３０が下肢２００の下腿部２１０ａの形状に合わせて挟持するようローラ間の距離が調整されて、ローラ間距離Ｌよりも短くなる。したがって、形状が転圧箇所によって異なる下肢２００に沿って第１ローラ２０及び第２ローラ３０を転圧させ、下腿部２１０ａ（Ａ状態）よりも形状が大きい下腿部２１０ｂに転圧させてＢ状態となるときは、基準線Ｇに対してステー１０をつま先部２３０側に傾斜させ、基準線Ｇに対してＡ状態の傾斜度θａよりも角度の大きい傾斜度θｂとすることで、Ｂ状態におけるローラ間距離Ｌ´ｂ（＝ＬＳｉｎθｂ）がローラ間距離Ｌ´ａよりも大きく調整される。このとき、下肢２００に沿って第１ローラ２０及び第２ローラ３０を転圧させる移動と、下肢２００の形状に合わせてステー１０を傾斜させる操作は操作部３によって同時に行われる。
さらに、第１ローラ２０及び第２ローラ３０で転圧されている下肢２００に加わる負荷について説明する。
第３図、第４図に示すように、第１ローラ２０及び第２ローラ３０は、下肢２００を負荷Ｆ１及びＦ２で押圧している。テコの原理により取手部４（操作部３）が力点となり、下肢２００の上面側を押圧している第２ローラ３０が支点となると同時に、第１ローラ２０が支点の役目を果たし、第２ローラ３０が作用点ともなり、負荷Ｆ２で下肢２００の上面側を押圧している。また、同様に、力点となる取手部４（操作部３）に加わる略々下方向の負荷Ｆにより、第１ローラ２０は作用点となって、負荷Ｆ１で下肢２００の下面側を押圧している。よって、第５図に示すように、下肢２００に沿ってマッサージ器１を移動させる際には、取手部４（操作部３）を操作してステー１０の傾斜度を変え、ローラ間距離Ｌ´ａ及びＬ´ｂを調整することで、第１ローラ２０及び第２ローラ３０が下肢２００を押圧する負荷Ｆ１及びＦ２を調整することができる。下肢２００を押圧する負荷Ｆ１及びＦ２により、第１ローラ２０及び第２ローラ３０の外表面に設置されている保護部材２２、３２が弾性変形して、下肢２００を保護する。なお、操作部３の取手部４に加わる略々下方向の負荷Ｆは、基準線Ｇに対してステー１０の傾斜度θａ及びθｂを小さく又は大きくするように操作部３を操作して、ローラ間距離Ｌ´ａ及びＬ´ｂを調整することで、負荷Ｆ１及びＦ２の強弱を制御する。
したがって、この実施の形態（１）のマッサージ器１は、下肢２００の形状に適合させるように、操作部３を操作し、下肢２００の形状に合わせてステーを傾斜させることで、下肢２００の基準線Ｇに対してステー１０の傾斜度を変化させてローラ間距離Ｌ´を短く又は長く調整する。よって、一定のローラ間距離Ｌに関係なく、下肢２００に沿って円滑に転圧される。また、挿入部１０１から下肢２００を挿入させることで、ステー１０の傾斜度を変化させてローラ間距離Ｌ´の調整をおこなう際に、マッサージ器１から下肢２００が離脱することなく行われ、転圧する第１ローラ及び第２ローラの移動が手足に沿って導かれる。したがって、下肢２００には、第１ローラ及び第２ローラにより安定したマッサージが提供される。
さらに、第１ローラ２０及び第２ローラ３０により挟持された下肢２００は、同時に２方向から押圧されて、下肢２００全体の血行と併せて、血液循環系の心臓に相当するポンプを持たないリンパ系のリンパの流れを効率的に促進するとともに、筋肉等をほぐす効果があり、下肢２００の弾力性や柔軟性を回復させることが可能となる。また、下肢２００に沿ってマッサージ器１を移動させる際、テコの原理により第１ローラ２０及び第２ローラ３０の転圧にかかる負荷Ｆ１及びＦ２は、マッサージ器１の移動に要する力Ｆ３に分散されることなく、下肢２００を移動自在に転圧することが可能となる。
さらに、このマッサージ器１の使用時の姿勢は、椅子等に腰掛けて使用することもでき、また、膝を立てるように床面に座った状態での使用も可能で、その使用時の姿勢は全く制限されることはない。
さらに、第１ローラ２０及び第２ローラ３０は、ローラ本体部２１、３１の周囲に、針入度及び厚さが異なる保護部材２２、３２が被覆されている。よって、下肢２００の下腿部２１０では、上面側が下面側より硬い部位であるため、針入度をα＜βである弾性材を採用することで、下肢２００の部位に対して最適な緩衝を提供して保護する。なお、α＞＝βであっても、保護作用に支障をきたすことはない。
さらに、保護部材２２、３２の厚さをｗ１＜ｗ２にすることで、緩衝作用がさらに向上し、針入度が同一の弾性材を用いた場合でも保護部材３２の変形量が大きくなるため、下肢２００の部位に適合した緩衝作用を提供でき、高いマッサージ効果が得られる。なお、ｗ１＞＝ｗ２であっても、緩衝作用に支障をきたすことはない。
さらに、第１ローラ２０及び第２ローラ３０のステー１０への装着は、ローラ本体部３１及び４１に設けられるベアリング４０、４０ａを介して行われるため、常に安定して固定され、下肢２００に対して最適な押圧を提供している。
さらに、ステー１０は連結部５２から折曲されて形成されているため、使用時の姿勢は、下肢２００に無理に近づける必要はなく、操作部３が常に使用者の近傍に配置されるので安定した操作が提供される。よって、航空、鉄道等の長時間の移動時においても場所をとらずに使用できる。また、第１ローラ２０及び第２ローラ３０が下肢２００を同時に２方向から押圧するため、極めて短時間でのマッサージ効果を提供することができ、オフィス等においても無理なく使用できる。
さらに、第５図に示すように、操作部３はステー１０の弾性による傾倒が可能となっているため、例えば、Ｂ状態にあるステー１０は下肢２００とマッサージ器１との位置関係が保持されたまま、ステー１０の操作部３が傾倒してＣ状態となる。したがって、取手部４に加わる負荷Ｆが直接に第１ローラ２０及び第２ローラ３０に伝達されて下肢２００を過度に締付けることを防止している。したがって、取手部４に負荷された力は、傾倒による緩衝作用により、第１ローラ２０及び第２ローラ３０へ緩徐な伝達となる。
さらに、基部１２から連結部５２までの長さＬ１と、連結部５２から側部１３、１４の端部までの長さＬ２とがＬ１＜Ｌ２の関係に構成されているため、テコの原理により取手部４には最小限の力を加えることで、最適な力を下肢２００に伝達することが可能となり、下肢２００に沿って移動させる力Ｆ３を妨げることがない。したがって、マッサージ器１の移動性及び操作性は極めて高く、操作部３の端部には取手部４が設けられているため、下肢２００への負荷の加減など容易にコントロールすることができる。なお、上記の長さ関係をＬ１＞＝Ｌ２とした場合でもテコの作用に支障をきたすことはない。
さらに、第６図に示すように、第１ローラ２０及び第２ローラ３０の幅長をＤ１＞Ｄ２としているため、下肢２００に無駄なく適度な負荷を提供することが可能で、下肢２００を挟持する第１ローラ２０及び第２ローラ３０を下肢２００の側部方向に容易に移動できる。したがって、下肢２００の両側面のマッサージにおいても、第１ローラ２０が第２ローラ３０よりも幅長が短いため、容易に各ローラの押圧方向を変更でき、下肢２００の全体に対してスムーズなマッサージを提供することが可能となる。なお、第１ローラ２０及び第２ローラ３０の幅長をＤ１＜＝Ｄ２としても操作に支障をきたすことはない。
さらに、第７図に示すように、下肢２００の側部の転圧も、第１ローラ２０及び第２ローラ３０で下肢２００の側部を挟み込むように挿入部１０１から下肢２００を挿入させて、下肢２００に沿って移動自在に転圧することが可能である。したがって、下肢２００に沿って転圧する際の操作は、操作部３の操作により使用時に無理な姿勢をさせることなく転圧を行うことができ、操作性が高いマッサージ器１によりスムーズなマッサージを提供している。
第８図に本発明に係る実施の形態（２）を示す。
実施の形態（２）は、前述の実施の形態（１）の第１ローラ２０及び第２ローラ３０を略々分割して構成される第１ローラ２０ａ、２０ｂ及び第２ローラ３０ａ、３０ｂの合計４個のローラを採用している。
ステー１０は、前述の実施の形態（１）と同様に形成され、第１ローラ２０ａ及び第１ローラ２０ｂが間隔ｗ３でステー１０の基部１２に装着されている。また、第２ローラ３０ａ、３０ｂは間隔ｗ４で連結間５０に装着され、ステー１０に連結固定されている。その他の各ローラのローラ本体部、保護部材、ベアリング等の構成は、前述の実施の形態（１）と同様なものとなっている。
このように構成される実施の形態（２）のマッサージ器１ａは、各ローラの設置間距離をｗ３、ｗ４となるように構成されているため、第１ローラ２０ａ、２０ｂはそれぞれ独立して回転して下肢２００を転圧することを可能としている。したがって、下肢２００の形状によって当接するローラは、それぞれが独立した回転速度（角速度）で下肢２００を転圧することができ、各ローラが当接する下肢２００の部位に適した負荷を提供することが可能となる。さらには、設置間距離ｗ３、ｗ４は、各ローラが下肢２００に沿って転圧する際の下肢２００に与える負荷による反力を逃がす作用があり、保護部材の緩衝作用を助成しマッサージ効果がさらに向上したマッサージ器１ａを提供することができる。なお、その他の作用、効果においては、前述の実施の形態（１）と同様に奏される。
第９図に本発明に係る実施の形態（３）を示す。
実施の形態（３）は、前述の実施の形態（１）のステー１０において、操作部３が配設されるステー１０の側部を傾斜角θ°で連結部５０から折曲形成ではなく、ステー１０の側部１３、１４を湾曲形成したステー１０ａを採用している。
ステー１０ａは、前述の実施の形態（１）と同様に略々コの字状に形成されるが、ステー１０の側部１３、１４を湾曲させてアーチ状に形成する。第２ローラ３０は、湾曲形成されステー１０の側部１３、１４に連結杆５０を介して、前述の実施の形態（１）と同様に連結されている。操作部３の端部から第２ローラ３０へ延びる接線と、第１ローラ２０が装着されている基部１２側の側部から第２ローラ３０へ延びる接線との交わる傾斜角は、前述の実施の形態（１）のように角度θ°となるように成形される。その他の構成は、前述の実施の形態（１）と同様なものとなっている。なお、作用、効果においては、前述の実施の形態（１）と同様に奏される。
第１０図に本発明に係る実施の形態（４）を示す。
実施の形態（４）は、前述の実施の形態（１）において、取手部４が設けられている２本の操作部３を１本に形成して、片手での操作を実現し、マッサージ器１ｃを上肢においても使用することが可能となる。
この実施の形態（４）のマッサージ器１ｃは、略々Ｓ字状のステー１５と、ステー１５に装着される第１ローラ２０及び第２ローラ３０と、ステー１５の第２ローラが装着されている側の端部に設けられる取手部４で構成されている。
ステー１５は、略々Ｓ字状に折曲されて形成され、第１ローラ２０及び第２ローラ３０が装着辺１５ａ、１５ｂに装着されている。また、取手部４が設けられる操作部３は、第１ローラ２０及び第２ローラ３０の略々中央に位置するように辺１５ｆが辺１５ｃの延長方向と略々平行と成るように折曲され、装着辺１５ｂと辺１５ｄとの折曲されている折曲部５２ａから操作部３までは、前述の実施の形態（１）と同様に、傾斜角θ°で折曲されている。その他の構成は、前述の実施の形態（１）と同様である。
この実施の形態（４）のマッサージ器１ｃは、片手で取手部４を把持し、図示しない上肢を辺１５ｃの対向側の開口１５ｇから第１ローラ２０及び第２ローラ３０に挟持されるように挿入し、下肢２００のマッサージ同様に、第１ローラ２０及び第２ローラ３０により同時に２方向から上肢を押圧することができる。また、前述の実施の形態（１）と同様に下肢２００に対しても片手で使用することが可能となる。したがって、使用時の姿勢を自由にして使用でき、マッサージ器１ｃの操作性及び携帯性はさらに向上される。
さらに、マッサージ器１ｃの製作においては、略々Ｓ字状に折り曲げる前のステー１５に、第１ローラ２０及び第２ローラ３０を装着してから、略々Ｓ字状に折曲げてマッサージ器１ｃを容易に製作することができ、軽量化されるとともに製造コストが低減される。なお、その他の作用、効果においては、前述の実施の形態（１）と同様に奏される。
第１１図に本発明に係る実施の形態（５）を示す。
実施の形態（５）は、前述の実施の形態（１）〜（３）において、ステー１０に組付調整機構６０が設置されている。
組付調整機構６０は、第２ローラ３０を連結する連結杆５０とステー１０との連結部５２に設置される。一部が開口している略々円状に形成された支持部材６１が、ステー１０の側部１３、１４にピン等で複数個が固定される。支持部材６１の内径は連結杆５０の径に嵌合するように形成され、開口された部分が弾性により広く開口するように、ある程度弾性、剛性を有するプラスチック又はステンレス等を用いて支持部材６１を形成することが望ましい。したがって、連結杆５０は、支持部材６１の弾性により開口部分を広げながら開口部分の上方から着脱自在に設置可能となる。また、支持部材６１の側方向から挿入させるように連結杆５０を着脱自在に設置することも可能である。
この実施の形態（５）では、連結杆５０を着脱自在にステー１０に装着することが可能となり、マッサージ器の使用目的に合わせて針入度の異なる保護部材を有する第２ローラ３０に変更することが容易となる。また、ステー１０に複数個の支持部材６１が配設されているため、使用者の下肢２００の形状に合わせて第１ローラ２０と第２ローラ３０とのローラ間距離Ｌを短く設定したい場合は、第１ローラ２０方向の支持部材６１に連結杆５０を装着することで、距離Ｌｃ分短く設定して、ローラ間距離をＬｄに任意に変更することが可能となる。したがって、第２ローラが着脱自在となるとともに、使用者の下肢２００の形状、大きさに適合させるようにその組付位置を変更して、初期の設定を行うことを容易にするため、マッサージ器の汎用性が向上する。
第１２図に本発明に係る実施の形態（６）を示す。
実施の形態（６）は、前述の実施の形態（１）〜（３）において、ステー１０の操作部３に伸縮調整機構７０が設置されている。
伸縮調整機構７０は、ステー１０の軸方向に連続形成される係止孔７１と、係止孔７１に係合する係止フック７２とで構成され。連続形成される係止孔７１の位置を変更することでステー１０の長さを伸縮させることを可能としている。
ステー１０は、係止孔７１が穿孔されるステー１０ｄと、端部に係止フック７２が設けられるステー１０ｃとで構成され、ステー１０ｃ、１０ｄはパイプ状で内部が空洞であるステンレス製を使用している。ステー１０ｃの内径ｄ１はステ１０ｄの外形ｄ２に係合するように形成されている。よって、ステー１０ｃがステー１０ｄをスライドしてステー１０が伸縮される。
したがって、伸縮調整機構７０でステー１０の長さを調整する場合は、Ｐ状態にある係止フック７２を係止孔７１ｐから取り外し、ステー１０ｃをスライドさせて、係止フック７２を係止孔７１ｑに係合させることで、Ｑ状態となりステー１０が伸長される。このとき係止フック７２は、係止孔７１に係合しているため、ステー１０の軸方向のガタつきが防止されて使用者の使用時の姿勢や、使用者の身長、身体サイズ、体格等に適合させることが可能となり、操作性が向上し、極めて高い汎用性を提供することができる。
また、この実施の形態（６）の伸縮調整機構７０は、操作部３に設置されてステー１０の操作部３の操作性を向上させることも可能であるが、第１ローラ２０及び第２ローラ３０との間のステー１０に設置することで、マッサージ器１の使用前に使用者の使用姿勢や身長、身体サイズ、体格等にあったローラ間距離を任意に設定することができ、前述の実施の形態（５）と同様の作用・効果を提供している。
第１３図、第１４図に、実施の形態（７）を示す。
実施の形態（７）は、前述の実施の形態（１）において、第１ローラ２０と第２ローラ３０との間のステー１０に、バネ部材を使用したステー１６を採用しているマッサージ器１ｄである。
ステー１６は、前述の実施の形態（１）と同様に、略々コの字状に形成され、第１ローラ２０と第２ローラ３０との間のステー１６に、バネ部材８０が配設され、バネ部材８０の周囲には被覆部材９０が設けられている。
第１ローラ２０と第２ローラ３０との間のステー１６には、後述するバネ部材８０を掛止するための掛止孔１６ｃが辺１６ａ及び辺１６ｂの両端に穿孔されている。
バネ部材８０は、第１４図に示すように、掛止孔１６ｃに掛止される掛止用フック８２が両端に設けられるバネ材８１で構成され、ステー１６の辺１６ａ及び１６ｂに掛止用フック８２により掛止されて連結されている。バネ部材８０は、弾性力の強い鋼鉄製のバネ材８１で構成することが望ましい。また、バネ部材８０の周囲には、手足を保護するための被覆部材９０が設けられ、被覆部材９０はバネ部材８０の伸縮に際して伸縮可能なゴム材等で形成されている。
このように構成されるマッサージ器１ｄは、バネ部材８０の弾性による伸張長さＬｅ分を前述の実施の形態（１）のローラ間距離Ｌよりも短く形成し、第１ローラ２０から連結杆５０までの距離をＬｆとなるように形成される。
したがって、この実施の形態（７）のマッサージ器１ｄは、第１ローラ２０及び第２ローラ３０とで挟持される下肢２００を押圧する力が、バネ部材８０の弾性力により助成されるとともに、ステー１６を傾斜させて傾斜度を調整する際に、バネ部材８０の伸張により下肢２００を過度の押圧を強いることなく、下肢２００に沿って転圧可能となる。また、バネ部材８０の伸縮によって、挟持する下肢２００の形状や部位による差異に応じ、下肢２００の基準軸Ｇに対して第１ローラ２０と第２ローラ３０との傾斜度が調整され、操作部３の操作によるステー１６の傾斜度の変更も助成し、操作性がより向上するとともに使用時の姿勢がより自由となる。また、被覆部材９０によってバネ部材８１と下肢２００は隔離されるので、バネ材８１に下肢２００は狭窄されて損傷することを防止している。なお、その他の作用、効果においては、前述の実施の形態（１）と同様に奏される。
また、図示しないが、前述の実施の形態（６）の伸縮調整機構７０とバネ部材８１とを組み合わせた機構を構成することも可能であり、この組み合わせた機構を第１ローラ２０及び第２ローラ３０間のステー１６に設置することで、ローラ間距離がバネ部材８１の弾性力により伸縮調整が円滑に行われ、汎用性の高いマッサージ器を提供することも可能である。
第１５図、第１６図に本発明に係る実施の形態（８）を示す。
実施の形態（８）は、前述の実施の形態（１）において、操作部３と、第１ローラ２０及び第２ローラ３０間のステー１０に蝶番９０を配設して、不使用時に折り畳みが可能となる構成となっている。
ステー１０は、操作部３と第１ローラ２０及び第２ローラ３０間がそれぞれを分割するように形成され、それぞれ分割する箇所Ｗに蝶番９０をピン９０ａで固定する。よって、操作部３は、第１５図に示すようにマッサージ器１ｅの内部方向に蝶番９０により折り曲げ可能となり、折り畳むことが可能となる。また、第１ローラ２０及び第２ローラ３０間のステー１０においても、蝶番９０により折り畳み可能となる。
また、第１６図に示すように、蝶番９０の対向側に固定部材９１を配設し、使用時にステー１０が折り畳まれないようにステー１０に形成したフック孔９１ａに固定部材９１のフック９１ｂを係合させて固定させる。
この実施の形態（８）のマッサージ器１ｅによると、不使用時にステー１０をコンパクトに折り畳むことができ、携帯性が向上する。したがって、不使用時はコンパクトに折り畳んで机の引出やカバン等に収納可能となり、オフィスや旅先に容易に持ち運びすることができる。また、前述の実施の形態（６）の伸縮調整機構７０と組み合わせて構成することも可能であり、例えば、操作部３に伸縮調整機構７０を配設して、ステー１０を短縮させた後に折り畳み可能とすることでよりコンパクトに折り畳むことができる。なお、その他の作用、効果においては、前述の実施の形態（１）と同様に奏される。
第１７図〜第２１図に本発明に係る実施の形態（９）を示す。
実施の形態（９）は、前述の実施の形態（１）、（４）、（６）をさらに改良したマッサージ器１ｆの実施形態である。
マッサージ器１ｆは、ステー１０ｂ、１０ｃと、第１ローラ２０ａと、第２ローラ３０ａと、操作部３と、伸縮調整機構７０ａとから構成され、その他の構成は前述の実施の形態の同様である。
前述の実施の形態（６）と同様に、ステー１０ｂには、伸縮調整機構７０ａが設けられるステー１４ａに、伸縮調整のための空洞Ｈが設けられ、ステー１０ｃには、空洞Ｈに係合するステー１４ｂが形成されている。したがって、ステー１０ｂとステー１０ｃとを着脱自在に構成することも可能である。また、これらのステー１０ｂ、１０ｃ等は、熱可塑性樹脂や熱硬化性樹脂（例えば、ポリカーボネードやポリアミド等）を用いて成形されることが望ましい。そして、ステー１０ｃに第１ローラ２０ａが、ステー１０ｂに第２ローラ３０ａが各々着脱自在に配設される。
また、第１ローラ２０ａが配設されるステー１０ｃには、第１ローラ２０ａを配設するためにステー１４ｃが形成される。このステー１４ｃは、第１ローラ２０ａと接触しないように、空隙１４ｄが設けられるように、湾曲に形成され、第１ローラ２０ａを保護する役目も果している。第２ローラ３０ａも同様に、空隙１４ｆを形成するようにステー１４ｅが湾曲されて形成されている。
第１ローラ２０ａは、第１９図に示すように、ローラ本体部２１ａと保護部材２２とで構成され、ローラ本体部２１ａに、連結軸５００、５０１が設けられて、ステー１４ｃ側の軸受部５０６に着脱自在に取付けられる。連結軸５０１は、バネ材５０３によりローラ本体部２１ａ内に出入り可能に構成する。したがって、連結軸５０１は、第１ローラ２０ａを連結軸５０１側に移動させると、連結軸５０１がローラ本体部２１ａの空洞５０３内に入り込むので、第１ローラ２０ａは容易に着脱され、また、バネ材５０３に弾性力によって、連結軸５０１が押し出されるため、第１ローラ２０ａが確実にステー１０ｃに配設される。
また、ステー１４ｃに形成される軸受部５０６は、第１ローラ２０ａを回転可能に円滑に支持するために、ベアリング等が設けられることが望ましいが、第１ローラ２０ａが円滑に回転できれば、ベアリングを設けなくても何ら支障はない。第２ローラ３０ａも同様に構成される。
伸縮調整機構７０ａは、ステー１０ｂに設けられる調整ストッパー７１ａと、ステー１４ｂに設けられる凹部７０１と凸係７０２とで構成される。調整ストッパー７１ａには、凹部７０１に係合する係合片７２ａが形成され、ステー１４ａに形成される係止孔７４ａを介して凹部７０１に係合される。また、係合片７２ａの係合を確実なものとするために、係合案内部７６ａをステー１４ａに設けることが望ましい。さらに、調整ストッパー７１ａには、係止片７２ａと凹部７０１との係合を操作する押部７３ａが設けられるとともに、サイド片７７ａを調整ストッパー７１ａの両側に形成して、ステー１４ａに両サイド片７７ａを回動可能に狭持させて固定する。よって、両サイド片７７ａは、後述するテコの原理の支点となるとともに、調整ストッパー７１ａのブレ等を防止させる役割を担うことになる。そして、押部７３ａとステー１４ａの間にバネ材７５ａを設けて、バネ材の弾性力を利用したテコの原理（両サイド片７７ａを支点とする）により係合片７２ａを確実に凹部７０１に係合させている。したがって、第２０図に示すように、押部７３ａを押下することで、係止片７２ａと凹部７０１との係合が解除され、ステー１０ｃの長さを自由に調整し、調整が終わったら押部の押下を解除すれば、バネ材７５ａの弾性力により押部７３ａが押し上げられて、係止片７２ａが確実に凹部７０１に係合されることになる。また、両サイド片７７ａを支点とせずとも、係止片７２ａと押部７３ａの間に支点部を設ける構成としてもよい。
また、前述の実施の形態（１）と同様に、ステー１０ｂは、第２ローラ３０ａとの連結部付近から折曲又は湾曲して形成され、その傾斜角は、ステー１０から操作部３までθ°となっているが、この実施の形態（９）では、操作部３の端部（取手部４ａ）から距離Ｌ８にあるステー１０ｂを傾斜角θより浅い傾斜角度に形成する。第２１図に示すように、操作部３の端部（取手部４ａ）から距離Ｌ８にあるステー１０ｂの傾斜角をθ＋θ１と形成する。また、取手部４ａを含む操作部３は、ステー１０ｂと分離可能に形成される。例えば、ステー１０ｂの操作部３側に溝４０１を形成し、取手部４ａ側の操作部３に溝４０１に係合する溝４０２を形成して着脱自在とさせる構成をとる。
さらに、操作部３と取手部４ａの間に、取手部４ａを把持する際に指を挿入するための挿入孔４ｂを形成する。例えば、取手部４ａを把持した場合、人差し指と中指とを挿入孔４ｂに挿入され、その他の指が把持部４ｃを把持するように形成するとよい。
この実施の形態（９）のマッサージ器１ｆによると、第１ローラ２０ａと第２ローラ３０ａの着脱性が向上されるため、ローラの交換が容易となり、使用者に適合するローラによるマッサージを提供することができる。
さらに、伸縮調整機構７０ａの調整を調整ストッパーを利用してワンタッチとしたため、第１ローラ２０ａと第２ローラ３０ａの距離を容易に調整できる。
また、操作部３の端部（取手部４ａ）から距離Ｌ８にあるステー１０ｂを傾斜角θより浅い傾斜角度に形成するため、使用者の近傍、例えば、脹脛の上部や大腿部付近での使用時に、操作部３、取手部４ａが使用者に接触せず、円滑な操作を提供することが可能となる。（ステー１０ｂの傾斜角を操作部３の端部（取手部４ａ）から距離Ｌ８のところから、傾斜角θ＋θ１とすることで、使用時の操作部３が使用者から離れた場所に位置することができる。即ち、第２１図の距離Ｌ９分だけ、使用者から遠ざかる位置に操作部３、取手部４ａが位置する。）
また、操作部３と取手部４ａの間に、取手部４ａを把持する際に指を挿入するための挿入孔４ｂを形成するため、取手部４ａの把持性が向上され、操作性が向上される。なお、その他の作用、効果は前述の実施の形態と同様に奏される。
また、取手部４ａを含む操作部３は、ステー１０ｂと分離可能に形成されるため、使用者に適合する取手部４ａを作成し、使用者個人の操作性能を提供することも可能となる。
次に、第２２図〜第２７図に、下肢におけるマッサージをより機能的、効果的に行えるマッサージ器の別形態を実施の形態（１０）として示す。
この実施の形態（１０）のマッサージ器１００は、主に下肢を中心としたマッサージを提供する。
マッサージ器１００は、ステー１１０と、ステー１１０に装着されるローラ１２０と、ローラ１２０の両側に設置される走行輪１３０で構成されている
ステー１１０は、パイプ状の鋼材等を略々コの字状に形成し、各辺１１１、１１２、１１３及び後述するローラ１２０が装着される装着部１１９となる端部１１４で囲まれる方形の挿入部１０２を形成するように組み付けられ、辺１１１から装着部１１９（端部１１４）の方向に広がるように折曲されて形成されている。また、挿入部１０２は、装着部１１９（端部１１４）の長さＬ４よりも辺１１１から略々コの字状に開口されている装着部１１９（端部１１４）に装着されるローラ１２０までの距離Ｌ３が長く形成されている。
ローラ１２０は、ローラ本体部１２１と、ローラ本体部１２１の外表面を被覆する保護部材１２２で構成され、ローラ本体部１２１と保護部材を合わせた径はＲ１となり、ローラ本体部１２１の中心部にはベアリング１５０が設置可能な溝１２１ａが設けられていて、ベアリング１５０の中心には、ステー１１０が挿入可能な挿入孔１５０ａが穿孔されている。ローラ１２０の幅長はＤ３である。
走行輪１３０は、ローラ１２０よりも径が大きくＲ２に形成され、幅長Ｄ４の円筒状であり、把持可能な大きさとなっている。走行輪１３０の中心にはベアリンク１５１が設置可能な挿入孔１３１ａが穿孔され、ベアリング１５１の中心にはステー１１０が挿入可能な挿入孔１５１ａが穿孔されている。走行輪１３０は、ローラ１２０とは独立して回転可能に、ステー１１０の装着部１１９にローラ１２０とともに装着される。また、走行輪１３０のガタ付き防止のため、止金１３１で連結固定される。また、ベアリング１５１は、ベアリング１５０よりも縮径されたものを採用している。
このように構成されるマッサージ器１００は、略々コの字状に開口されている端部１１４（装着部１１９）にローラ１２０と走行輪１３０が、ベアリング１５０、１５１、止金１３１を介して装着されて、辺１１１には把持可能に形成された筒状の取手部１４０がローラ１２０に略々平行に設けられる構成となっている。したがって、ベアリング１５０、１５１を介して装着されるローラ１２０と走行輪１３０は、個々が独立して回転可能となっている。また、ローラ１２０と走行輪１３０との間は、ベアリング１５０、１５１の径の大きさが異なっているため、ベアリング１５０、１５１がローラ１２０及び走行輪１３０の独立した回転を妨げることはない構成と成っている。
次に、第２４図、第２５図に基づいて、マッサージ器１００の使用方法について説明する。第２５図は、第２４図のＺ部の拡大図を示し、下肢２００がローラ１２０により転圧される際のローラ１２０と走行輪１３０の独立した回転を示している。
まず、第２４図に示すように、床面Ｔに走行輪１３０を当設し、挿入部１０２より片方の下肢２００を挿入させ、下肢２００の下面部をローラ１２０に載設する。この状態で、床面Ｔに座り、片手で取手部１４０を把持する。
そして、第２５図に示すように、大腿部２２０の方向に片手で取手部１４０を把持して移動させる際、走行輪１３０が床面Ｔに当接しながらＤ方向に回転し、下肢２００に保護部材１２２を介して当接するローラ１２０が走行輪１３０の回転方向Ｄとは逆方向のＥ方向に回転する。したがって、走行輪１３０とローラ１２０とが独立して逆方向に回転することで、下肢２００に沿って転圧可能となり、走行輪１３０とローラ１２０との径がＲ２＞Ｒ１になっているため、角速度の違いにより下肢２００はローラ１２０によって円滑に転圧される。
このようなマッサージ方法は、走行輪１３０によってローラ１２０に載設される下肢２００を安定に支持し、下肢２００の自重圧Ｆ４に対する反力Ｆ５を利用して、下肢２００に十分かつ最適なマッサージを提供することができる。また、下肢２００を挿入させる挿入部１０２は、装着部１１９（端部１１４）の長さＬ４よりも辺１１１から略々コの字状に開口されている装着部１１９（端部１１４）に装着されるローラ１２０までの長さＬ３が長く形成されている。よって、下肢２００を挿入させ下肢２００に沿ってローラ１２０を移動させるマッサージ器１００は、片手での操作で円滑なマッサージを提供することができる。
さらに、第２６図に示すように、下肢２００の大腿部２２０の下部の床面Ｔに走行輪１３０を当設し、大腿部２２０をローラ１２０に載設することで、自重圧Ｆ６に対する反力Ｆ７により転圧を行うことができる。この場合、取手部１４０を片手又は両手で把持するか、ステー１１０の辺１１２及び１１３を両手で把持して大腿部２２０に沿って移動させることで、転圧可能となる。
さらに、第２７図に示すように、ローラ１２０と独立して回転可能に装着される走行輪１３０を把持して、下肢２００にローラを押し当て、下肢２００の上部を力Ｆ８で押圧しながら、下肢２００に沿ってローラ１２０を転圧させることも可能である。また、同様に下肢２００の側部を下肢２００に沿って転圧させることも可能であり、ローラ１２０よりも径が大きく形成されて、ローラの回転とは独立して装着されているため、走行輪１３０を把持して容易に下肢２００の全体に対して転圧を行うことができる。このとき、走行輪１３０の把持を容易にさせるるために、図示しないが、ローラ１２０と走行輪１３０との間からステー１１０が延設されるように配設することも可能であり、下肢２００が載設されるローラ１２０の両端に走行輪１３０が配設されるとともに、挿入部１０２が確保されるマッサージ器１００の構成において、ステー１１０の位置関係は第２２図に示す位置関係に制限されない。
したがって、この実施の形態（１０）のマッサージ器１００は、ローラ１２０と、ローラ１２０に独立して回転可能に装着される走行輪１３０とが異なる径Ｒ１及びＲ２で形成されているため、ローラ１２０の回転が安定に行われ、ローラ１２０に載設又はローラ１２０に押圧され円滑に転圧される。したがって、下肢２００全体の血行と併せて血液循環系の心臓に相当するポンプを持たないリンパ系のリンパの流れを効率的に促進するとともに、筋肉等をほぐす効果があり、下肢２００の弾力性や柔軟性を回復させることが可能となる。また、ステー１１０の側部１１２及び１１３、走行輪１３０が前述の実施の形態（１）で示した操作部３となり、使用形態に合わせて把持する箇所を変更できるため、操作性が高く、使用時の姿勢が制限されない。
さらに、取手部１４０からローラ１２０までの距離Ｌ３が装着部１１９の長さＬ４よりも大きく形成され、ステー１１０とローラ１２０で囲まれて形成される挿入部１０２により、下肢２００は挿入部１０２から挿入されてローラ１２０に載設されるため、下肢２００に沿って確実に移動を提供するとともに、円滑なマッサージ器１００の転圧を提供することができる。また、操作部３に設けられる取手部１４０は、ローラ１２０に略々平行に配置されるため、挿入部１０２から挿入する下肢２００に対して、取手部１４０を把持してローラ１２０による転圧を行う際に、下肢２００に沿って移動するローラ１２０の移動方向と取手部１４０の操作方向が略一致する。よって、把持する片手の手首は折り曲げる必要がなく、力の入れやすい状態に略々固定されて取手部１４０をローラ１２０の移動方向に操作することが容易となり、ローラ１２０を円滑に下肢２００に沿って転圧させることができる。
さらに、挿入部１０２より下肢２００を挿入させて転圧を行う方法は、下肢２００をローラ１２０に安定した状態で、下肢２００に沿って転圧を行うとともに、下肢２００が転圧される箇所に対して最適な方向にローラ１２０が導かれ、複雑な操作を行うことなく、効果的なマッサージを提供することが可能となる。したがって、片方の下肢２００を挿入部１０２から挿入させ、片手で取手部１４０を把持して下肢２００に沿って容易に転圧を行うことができ、片手での安定した操作が可能となる。また、片方の下肢２００に対してマッサージ器１００を使用する場合には両方の下肢２００を拘束することがなく、使用者に適した使用時の姿勢を提供するとともに、上半身は自由に運動することができるため、ローラ１２０に当接する下肢２００の部位を自由に変更することができ、下肢２００の側部に対して容易に転圧することが可能となる。また、マッサージ器１００の転圧方向に合わせて上半身を柔軟に動かし、ストレッチ等を同時に行うことができ、両方の下肢２００に対してではなく、片方の下肢２００を対象に、片手で操作部１４０を操作するマッサージ方法は、極めて高いマッサージ効果が奏される。
さらに、走行輪１３０を把持して、ローラ１２０を下肢２００に対して押圧することで、極めて容易なローラ１２０による転圧を実現している。
第２８図に実施の形態（１１）を示す。
実施の形態（１１）は、前述の実施の形態（１０）において、ステー１１０に装着されるローラの装着位置を換えたマッサージ器１００の別形態であり、ローラ１２０及び走行輪１３０が着脱可能にステー１１０に装着される。
この実施の形態（１１）のマッサージ器１００ａは、前述の実施の形態（１０）のステー１１０同様に略々コの字状に形成されたステー１１０ａの辺１１３ａ（装着部１１９ａ）にローラ１２０が装着され、略々コの字状に開放された開口１１４ａはローラ１２０の側部に位置する。また、辺１１１ａには取手部１４０が設けられ、ローラ１２０の両側には走行輪１３０が装着されている。その他の構成に関しても前述の実施の形態（１０）と同様になっている。
したがって、実施の形態（１１）のマッサージ器１００ａは、略々コの字状に開放された開口１１４ａから下肢２００を容易にローラ１２０に載設でき、ローラ１２０による転圧を行うことが可能となる。また、ステー１１０ａは変形することなく、ローラ１２０を固定し、下肢２００に沿って転圧するローラ１２０は安定したマッサージを提供することができる。
さらに、ローラ１２０及び走行輪１３０は、ステー１１０ａに開口１１４ａ方向から着脱自在に装着することが可能であり、使用者の差異によってローラ１２０及び走行輪１３０を交換することができる。したがって、マッサージ器１００ａの汎用性が向上するとともに、ローラ１２０及び走行輪１３０のメンテナンスが容易に行え、常に最適なマッサージを提供することができる。なお、その他の作用、効果においては、前述の実施の形態（１０）と同様に奏される。
以上、図示した実施の形態の外に、実施の形態（１０）の走行輪１３０を実施の形態（１）の第１ローラ２０の両側に設けて、床面に座して使用することも可能であり、走行輪１３０の外周に緩衝材等を被覆して走行輪１３０が走行する床面の状態（フローリングやカーペット等での使用状態）に適合させることも可能である。
また、ステー１０の操作部３が折曲形成されているが、折曲形成の箇所は、連結部５１付近に限定されず、折曲箇所を複数設けて多段に折り曲げて形成することも可能であり、上述の実施の形態で示したそれぞれの構成は、その実施の形態に限定されるものではない。
また、ステー１０、第１ローラ２０及び第２ローラ３０、ローラ１２０には、偏心モータを取付け、ローラを自動に回転可能に振動させてマッサージ効果を向上させたマッサージ器を提供することも可能である。
また、ローラ本体部の外表を被覆する保護部材に突起部を設けたり、ローラの表面又は内部に軟部と硬部を交互に形成して、転圧される手足に対して指圧効果を提供することも可能である。
また、ローラ１２０、第１ローラ２０及び第２ローラ３０に、遠赤外線を発する部材を採用し、手足を温めてマッサージ効果を向上させることも可能で、各ローラの外周を被覆する保護部材においては、帯電防止処理を施して静電気等によるゴミ類の付着を防止したり、抗菌処理を施して細菌等の繁殖を防止させ清潔な状態を保持させるなど、汚れ等による不快感を使用者に与えない清潔なマッサージ器を提供することもできる。また、ステー１０又は各ローラに香料等を設けてアロマセラピィ効果を利用し、よりリラックスした状態での使用を提供してマッサージ効果を向上させることも可能であり、種々のローラを採用することが可能であり、上述したローラの形状は制限されるものではない。
次に、実施例を用いて本発明を詳細に説明する。
（実施例１）
第１図におけるマッサージ器１は、ステー１０に、径が約５ｍｍのステンレス製のパイプを採用し、連結杆５０もステー１０と同様の径が約５ｍｍのステンレス製のパイプを用いる。
第１ローラ２０のローラ本体部２１は、径が約３０ｍｍで幅が約１５０ｍｍで、木製のローラ本体部を採用している。ローラ本体部２１の外表を被覆する保護部材２２は、厚さ約５ｍｍで針入度が約１００のウレタン又はゴム質の材料を使用している。第２ローラ３０は第１ローラ２０と同様の材質で構成され、ローラ本体部３１の径は約１５ｍｍであり、保護部材２２の針入度とは異なる針入度が約８０で厚さ約１７ｍｍの保護部材３２によって被覆されている。また、それぞれの中心には、径が約５ｍｍでステー１０及び連結杆５０が挿入可能な挿入孔２１ｂ及び３１ｂが穿孔されている。挿入孔２１ｂ及び３１ｂの端部には径が約１０ｍｍのベアリング４０、４０ａが嵌合可能に形成された嵌合溝２１ａ、３１ａが設けられている。なお、針入度はＪＩＳＫ２５３０に規格に準ずる。
そして、第２図に示すように、略々コの字状に折曲形成前のステー１０にベアリング４０とともに装着し、第１ローラ２０がガタ付かないように、中心に約５ｍｍの孔が穿孔された止め金２４を装着する。その後、ステー１０の第１ローラ２０に幅に合わせて略々コの字状に折曲形成する。また、第２ローラ３０も同様に、連結杆５０にベアリング４０ａ、止め金３４を介して装着し、ステーに１０の連結部５２にピン５１で連結固定する。このときの第１ローラ２０と第２ローラとのローラ間距離Ｌは、約９００ｍｍとなっている。
また、操作部３の端部に設けられる取手部４は、径が約３０ｍｍ、厚さが約１０ｍｍの円筒体で形成されている。そして、この連結部５０から操作部３までは、１３５°〜１６５°の傾斜角で折曲されている。
このように構成されたマッサージ器１は、下肢２００の形状に適合させるように、操作部３を操作し、ステー１０を下肢２００の形状に応じて傾斜させることで、ステー１０の傾斜度を変化させ、第１ローラ２０と第２ローラ３０とが下肢２００の基準軸Ｇとのなす角度θａ及びθｂが約３０°〜９０°に調整され、ローラ間距離Ｌ´が約４５０ｍｍ（＝１／２×Ｌ）〜約９００ｍｍ（＝Ｌ）の間で調整され、下肢２００の各部位を挟持することができた。したがって、一定のローラ間距離約９００ｍｍで固定されている第１ローラ２０と第２ローラ３０との間の距離に関係なく、下肢２００に沿ってスムーズで容易な転圧を提供することができることが確認できた。
また、ステー１０は連結部５２から１３５°〜１６５°の傾斜角で折曲されて形成されているため、使用時の姿勢を下肢２００に無理に近づける必要はなく、使用者の姿勢は常に安定したものとなった。また、場所をとらずに使用でき、下肢２００を同時に２方向から押圧するため、約５分足らずの極めて短時間の間に効果的なマッサージを提供できることが確認できた。
（実施例２）
第１７図におけるマッサージ器１ｆは、前述の実施例１の別形態であり、ステー１０ｂ、１０ｃ、操作部３、取手部４ａ等をポリカーボネードで形成する。
第１ローラ２０ａ、第２ローラ３０ａは、前述の実施の形態（９）と同様とし、伸縮調整機構７０ａは、ステー１０ｂ等と同様に熱可塑性樹脂や熱硬化性樹脂で形成すると、軽量化が図れる。
ステー１４ｂの幅をｄ３＝約１１ｍｍに形成し、ステー１４ｂの幅ｄ３と係合する空洞Ｈの内幅も約１１ｍｍに形成する。さらに、ステー１４ａの強度を保つために、空洞Ｈの壁幅は約３ｍｍとなるように、ステー１４ａの幅ｄ４を約１７ｍｍで形成する。
操作部３と取手部４ａとの間に形成される挿入孔４ｂは、長辺Ｌ７＝約５０ｍｍ、短辺＝約３０ｍｍの台形状とし、２本の指が挿入可能な大きさに形成される。
また、操作部３の端部（取手部４ａ）から距離Ｌ８＝約７５ｍｍから傾斜角θ＋θ１＝約１６０°となるように、操作部３の傾斜角を調整して形成する。
したがって、第１ローラ２０ａと第２ローラ３０ａとの距離を伸縮調整機構７０ａによりワンタッチで調整可能となり、挿入孔４ｂにより取手部４ａの把持性が向上され、マッサージ器１ｆの操作性がより向上したことが確認できた。
さらに、操作部３の端部（取手部４ａ）から距離Ｌ８＝約７５ｍｍから傾斜角θ＋θ１＝約１６０°となるように、操作部３の傾斜角を調整して形成したので、使用者の近傍、例えば、脹脛の上部や大腿部付近での使用時に、ステー１０ｂの傾斜角が浅くなる分、操作部３や取手部４ａが妨げにならず、円滑な操作を行うことが確認できた。
また、全体をポリカーボネードで形成しているため、軽量化が図られるとともに、生産性、組み立てにおける作業効率等の向上が確認できた。
（実施例３）
第２２図におけるマッサージ器１００は、ステー１１０に、径が約５ｍｍのステンレス製のパイプを採用している。
ローラ１２０のローラ本体部１２１は、径が約３０ｍｍで幅が約１６０ｍｍで、木製のローラ本体部を採用している。ローラ本体部１２１の外表を被覆する保護部材１２２は、厚さ約１０ｍｍのウレタン又はゴム質で収縮性のある材料を使用し、針入度が約８０である。ローラ本体部１２１の径の中心には、径が約１５ｍｍのベアリング１５０が嵌合可能に形成された嵌合溝１２１ａが設けられている。
走行輪１３０は、木製で幅約１０ｍｍ、径が約６５ｍｍの円筒形に形成され、中心には、径が約１０ｍｍのベアリング１５１が嵌合可能に形成された嵌合溝１３１ａが設けられている。
そして、このマッサージ器１００を第２３図に示すように、ローラ１２０と走行輪１３０とが独立して回転可能となるように一体に組付けられる。前述の実施例（１）と同様に止め金１３１をベアリング１５１の外側に装着することで走行輪１３０とローラ１２０のガタ付きを防止する。このとき、ステー１１０は、辺１１１の長さが約１４０ｍｍ、開放された端部１１４の長さが約２００ｍｍとなるように、略々コの字状に折曲形成する。
したがって、ローラ１２０と独立して回転可能に装着される走行輪１３０により、ローラ１２０の回転が安定に行われ、ローラ１２０に載設又はローラ１２０に押圧される下肢２００が円滑に転圧されることが確認できた。また、ステー１１０の側部１１２及び１１３、走行輪１３０が操作部３となり、使用形態に合わせて把持する箇所を変更できるため、操作性が高く、使用時の姿勢が制限されないことも確認できた。
さらに、片方の下肢２００を挿入部１０２から挿入させ、片手で取手部１４０を把持して下肢２００に沿って容易に転圧を行うことができ、片手での安定した操作が可能となり、片方の下肢２００に対してマッサージ器１００を使用する場合には両方の下肢２００を拘束することがなく、使用者に適した使用時の姿勢を提供するとともに、上半身は自由に運動することができるため、ローラ１２０に当接する下肢２００の部位を自由に変更することができ、下肢２００の側部に対して容易に転圧することが可能となることが確認できた。
産業上の利用可能性
以上のように、第１の発明を実施するための最良の形態における本発明のマッサージ器は、手足の形状に適合させるように、操作部を操作し、ステーを手足の形状に応じて傾斜させることで、ステーの傾斜度を変化させ、複数のローラ間の距離を調整することで、一定距離に固定されているローラ間に挟持される手足に沿ってスムーズで容易な転圧を提供することができる。
さらに、複数のローラが第１ローラ及び第２ローラで構成され、手足を同時に２方向から押圧し、取手部を手足に沿って操作するで手足全体を移動可能に転圧できる。また、テコの原理を採用しているため、最小の力で手足を挟持し、第１ローラ及び第２ローラへの力の加減も容易に行え、手足に沿って移動する際の力は、第１ローラ及び第２ローラの押圧を弱めることなく、円滑なマッサージを提供することができる。
さらに、ステーは連結部から折曲げられて形成されているため、使用時の姿勢においても無理なく操作部を把持することができ、使用時の姿勢は制限されないことから、航空、鉄道等による長時間の移動の際や、オフィス等においても、場所をとる必要がない。
また、上半身に近い下肢の大腿部付近においても、マッサージ器の操作性は欠如することなく、操作部を操作して転圧可能であり、手足全体に十分なマッサージを提供することが可能となる。
また、本発明のマッサージ器は、下肢に沿って転圧する際に、走行輪が床面に当接しながら回転し、下肢に保護部材を介して当接するローラが走行輪の回転方向とは逆方向に回転するとともに、走行輪とローラとが独立して逆方向に回転するので下肢に沿って転圧可能となる。また、走行輪とローラとの径が異なるため角速度の違いにより下肢はローラによって円滑に転圧され、使用形態に合わせて把持する箇所を変更できるため、操作性が高く、使用時の姿勢が制限されない効果を有する。
また、本発明のマッサージ方法は、手足を挟持するようにステーに一体に組付けされて形成される挿入部から手足を挿入させることで、操作部を操作してステーの傾斜度を変化させ、ローラ間距離を調整する際にマッサージ器から手足が離脱することなく行われ、転圧する複数のローラ移動が手足に沿って導かれる効果を有する。
また、本発明のマッサージ方法は、走行輪によってローラに載設される下肢が安定に支持され、下肢の自重圧に対する反力を利用して、下肢を十分かつ最適なマッサージを提供し、下肢全体の血行と併せて、血液循環系の心臓に相当するポンプを持たないリンパ系のリンパの流れを効率的に促進するとともに、筋肉等をほぐす効果があり、下肢２００の弾力性や柔軟性を回復させることが可能となる。また、挿入部に下肢を挿入させ下肢に沿ってローラを移動させるため、下肢が転圧される箇所に対して最適な方向にローラが導かれ、複雑な操作を行うことなく効果的なマッサージを提供する。
さらに、片方の下肢を挿入部から挿入させ、片手で取手部を把持して下肢に沿って容易に転圧を行うことができ、片手での安定した操作が可能となる。また、片方の下肢に対してマッサージ器を使用する場合には両方の下肢を拘束することがなく、使用者に適した使用時の姿勢を提供するとともに、上半身は自由に運動することができるため、ローラに当接する下肢の部位を自由に変更することができ、下肢の側部に対して容易に転圧することが可能となる。また、マッサージ器の転圧方向に合わせて上半身を柔軟に動かし、ストレッチ等を同時に行うことができ、両方の下肢に対してではなく、片方の下肢を対象に、片手で操作部を操作するマッサージ方法は、高いマッサージ効果が奏される。
また、本発明のマッサージ方法は、ローラと独立して回転可能に装着される走行輪を把持して、下肢にローラを押し当て、下肢の上部を押圧しながら、下肢に沿ってローラを転圧させことを可能とするため、下肢の全体に対して容易に転圧を行うことができる。
【図面の簡単な説明】
第１図は、本発明に係るマッサージ器の実施の形態（１）を示す斜視図である。
第２図は、第１図の第１ローラ及び第２ローラの構成を示す斜視図である。
第３図は、第１図のマッサージ器１の使用時の右側面図である。
第４図は、第３図のＸ−Ｘの断面図である。
第５図は、第１図のマッサージ器１が下肢２００に沿って傾斜度を変化させる使用状態を示す。
第６図は、第３図における正面図である。
第７図は、第１図のマッサージ器における使用状態の別形態を示す平面図である。
第８図は、本発明に係るマッサージ器の実施の形態（２）を示す斜視図である。
第９図は、本発明に係るマッサージ器の実施の形態（３）を示す斜視図である。
第１０図は、本発明に係るマッサージ器の実施の形態（４）を示す斜視図である。
第１１図は、本発明に係るマッサージ器の実施の形態（５）を示す側面図である。
第１２図は、本発明に係るマッサージ器の実施の形態（６）を示す側面図である。
第１３図は、本発明に係るマッサージ器の実施の形態（７）を示す斜視図である。
第１４図は、第１３図のＹ−Ｙ断面図である。
第１５図は、本発明に係るマッサージ器の実施の形態（８）を示す斜視図である。
第１６図は、第１５図のＶ部の拡大図である。
第１７図は、本発明に係るマッサージ器の実施の形態（９）を示す斜視図である。
第１８図は、第１７図のＹ１−Ｙ１断面図である。
第１９図は、第１８図の第１ローラの要部拡大断面図である。
第２０図は、第１７図の伸縮調整機構の要部拡大断面図である。
第２１図は、第１８図の操作部、取手部の要部拡大図である。
第２２図は、本発明に係るマッサージ器の実施の形態（１０）を示し、主に下肢を中心としたマッサージ器１００を示す平面図である。
第２３図は、第２２図のマッサージ器１００の構成を示す斜視図である。
第２４図は、第２２図のマッサージ器１００の使用時を説明する右側面図である。
第２５図は、第２４図のＺ部の拡大図である。
第２６図は、第２２図のマッサージ器１００の使用時を説明する右側面図である。
第２７図は、第２２図のマッサージ器１００の使用時を説明する右側面図である。
第２８図は、本発明に係るマッサージ器の実施の形態（１１）を示す平面図である。
【図１】
2003068129.tif 000003
【図２】
2003068129.tif 000004
【図３】
2003068129.tif 000005
【図４】
2003068129.tif 000006
【図５】
2003068129.tif 000007
【図６】
2003068129.tif 000008
【図７】
2003068129.tif 000009
【図８】
2003068129.tif 000010
【図９】
2003068129.tif 000011
【図１０】
2003068129.tif 000012
【図１１】
2003068129.tif 000013
【図１２】
2003068129.tif 000014
【図１３】
2003068129.tif 000015
【図１４】
2003068129.tif 000016
【図１５】
2003068129.tif 000017
【図１６】
2003068129.tif 000018
【図１７】
2003068129.tif 000019
【図１８】
2003068129.tif 000020
【図１９】
2003068129.tif 000021
【図２０】
2003068129.tif 000022
【図２１】
2003068129.tif 000023
【図２２】
2003068129.tif 000024
【図２３】
2003068129.tif 000025
【図２４】
2003068129.tif 000026
【図２５】
2003068129.tif 000027
【図２６】
2003068129.tif 000028
【図２７】
2003068129.tif 000029
【図２８】
2003068129.tif 000030
【手続補正書】
【提出日】平成16年8月10日(2004.8.10)
【手続補正００１】
【補正対象書類名】明細書
【補正対象項目名】全文
【補正方法】変更
【補正の内容】
【書類名】明細書
【技術分野】
本発明は、マッサージ器に係り、詳しくは、下肢及び上肢の血液とリンパの循環を促すマッサージ器に関する技術分野に属する。
【背景技術】
従来、マッサージ器において、下肢のマッサージ器は、例えば、実用新案登録第３０４３７７７号公報に記載のものが知られている。
この実用新案登録第３０４３７７７号公報に開示されたマッサージ器は、一端側に折曲部を設けた２本のステーと、各折曲部に装着される回転可能なローラとからなり、２本のステーは連結ピンを介してＸ状に連結され、２本のステーの他端側にローラ側へ折曲した操作部が形成されている。
上記従来のマッサージ器では、操作部を操作してローラで下肢を挟み込み、下肢に沿ってローラを移動させることで下腿部、大腿部の筋肉のマッサージを提供している。
しかしながら、上記従来のマッサージ器は、様々な形状のローラを装着してマッサージを提供しているが、下肢の形状は一定の形状ではなく下腿部、大腿部においてその形状は異なる。また、下腿部において、足首から脹脛にかけてはその形状が大きく異なる。したがって、１つのローラでは、下肢全体を十分にマッサージすることは困難であり、下肢の形状に合わせてローラを交換することは、手間がかかり、下肢全体を十分にマッサージすることはできない課題を有している。
また、Ｘ状に連結された２本のステーの操作部を操作してローラの押圧を加減するため、下肢に沿ってローラを移動させる際のローラから下肢にかかる圧力は、下肢に沿ってローラを移動させるための力に分散され、ローラに伝達される圧力は、下肢のマッサージを行うために十分ではない課題を有している。
さらに、この従来のマッサージ器は、長尺状でありＸ状に連結された２本のステーの操作部を支持して操作しなければ、下肢を十分にマッサージすることができない。したがって、操作時の姿勢が制限され、下肢のマッサージ部に対して自由な操作を行うことができない課題を有する。
さらに、２本のステーで構成される操作部は、ステーの長さが長いため大腿部などの下肢上方部のマッサージにおいては操作性に乏しい。また、Ｘ状に連結された２本のステーで構成される操作部は、２方向の力で負荷を加えて下肢を挟み込むように操作してマッサージを行わなければならないため、操作し難い。よって、下肢全体の十分なマッサージを提供することは困難である課題も有している。
このような従来の課題を考慮して、本発明は、複数のローラ間のステーの延長方向に配置される操作部を操作してステーを傾斜させることによりステーの傾斜度を変え、一定のローラ間距離に組付けされている複数のローラ間距離を手足の形状に適合するように調整して手足を転圧するとともに、マッサージの患部にかかるローラによる押圧を使用者の操作により容易に加減させ、ローラによる押圧を弱めることなく手足に沿って移動可能とし、マッサージ器の操作時の使用姿勢を制限することなく自在な操作性を提供して、手足の全域におけるマッサージを提供することを課題とするものである。
【発明の開示】
上記課題を解決するため、本発明のマッサージ器及びマッサージ方法は、ステーと、ステーに設けられる操作部と、ステーに回転可能に装着されるローラとからなり、前記ローラを手足を挟持させるようにステーに組付けされる複数のローラで構成し、前記操作部の操作によりステーの傾斜度を変えることで複数のローラ間の距離が調整されることを特徴とする。
したがって、手足の形状に適合させるように、操作部を操作し、ステーを手足の形状に応じて傾斜させることで、ステーの傾斜度を変化させ、複数のローラ間の距離を調整することで、一定距離に固定されているローラ間に挟持される手足に沿ってスムーズで容易な転圧を提供することができる。
【図面の簡単な説明】
第１図は、本発明に係るマッサージ器の実施の形態（１）を示す斜視図である。
第２図は、第１図の第１ローラ及び第２ローラの構成を示す斜視図である。
第３図は、第１図のマッサージ器１の使用時の右側面図である。
第４図は、第３図のＸ−Ｘの断面図である。
第５図は、第１図のマッサージ器１が下肢２００に沿って傾斜度を変化させる使用状態を示す。
第６図は、第３図における正面図である。
第７図は、第１図のマッサージ器における使用状態の別形態を示す平面図である。
第８図は、本発明に係るマッサージ器の実施の形態（２）を示す斜視図である。
第９図は、本発明に係るマッサージ器の実施の形態（３）を示す斜視図である。
第１０図は、本発明に係るマッサージ器の実施の形態（４）を示す斜視図である。
第１１図は、本発明に係るマッサージ器の実施の形態（５）を示す側面図である。
第１２図は、本発明に係るマッサージ器の実施の形態（６）を示す側面図である。
第１３図は、本発明に係るマッサージ器の実施の形態（７）を示す斜視図である。
第１４図は、第１３図のＹ−Ｙ断面図である。
第１５図は、本発明に係るマッサージ器の実施の形態（８）を示す斜視図である。
第１６図は、第１５図のＶ部の拡大図である。
第１７図は、本発明に係るマッサージ器の実施の形態（９）を示す斜視図である。
第１８図は、第１７図のＹ１−Ｙ１断面図である。
第１９図は、第１８図の第１ローラの要部拡大断面図である。
第２０図は、第１７図の伸縮調整機構の要部拡大断面図である。
第２１図は、第１８図の操作部、取手部の要部拡大図である。
第２２図は、本発明に係るマッサージ器の実施の形態（１０）を示し、主に下肢を中心としたマッサージ器１００を示す平面図である。
第２３図は、第２２図のマッサージ器１００の構成を示す斜視図である。
第２４図は、第２２図のマッサージ器１００の使用時を説明する右側面図である。
第２５図は、第２４図のＺ部の拡大図である。
第２６図は、第２２図のマッサージ器１００の使用時を説明する右側面図である。
第２７図は、第２２図のマッサージ器１００の使用時を説明する右側面図である。
第２８図は、本発明に係るマッサージ器の実施の形態（１１）を示す平面図である。
【発明を実施するための最良の形態】
第１の発明を実施するための最良の形態において、本発明に係るマッサージ器及びマッサージ方法を第１図〜第２８図に基づいて説明する。
本発明は、ステーと、ステーに設けられる操作部と、ステーに回転可能に装着されるローラとからなるマッサージ器において、上記ローラは、手足を挟持させるようにステーに組付けされる複数のローラで構成されるとともに、複数のローラ間のステーの延長方向に上記操作部が配置され、上記操作部の操作によりステーの傾斜度を変えることで、複数のローラ間の距離が調整されて手足の形状に沿って転圧されるとともに、手足を押圧する負荷が加減されることを特徴とするマッサージ器である。
上記手段では、手足を挟持するように組み付けられた複数のローラのローラ間距離が、手足の形状に適合するように操作部を操作し、ステーの傾斜度を変化させることで調整される。したがって、手足の形状に沿ってローラが転圧可能となるとともに、手足を押圧する負荷が加減される。
また、本発明では、上記マッサージ器において、複数のローラは、手足に沿って同時に複数方向から移動自在に転圧することを特徴とする。
上記手段では、手足が複数のローラにより挟持されるため、手足を確実にマッサージすると同時に、複数方向から手足が転圧されることが可能となる。
また、本発明では、上記マッサージ器において、操作部は、複数のローラ間のステーの延長方向から所望の傾斜角に配置されることを特徴とする。
上記手段では、操作部が複数のローラ間のステーの延長方向から所望の傾斜角に配置されることで、操作部の操作によるステーの傾斜が助成され、操作部が使用者の近傍に配設されることが可能となる。
また、本発明では、上記マッサージ器において、ローラは、ステーに回転可能に連結されるローラ本体部と、前記ローラ本体部の周囲に設けられる保護部材とで構成されることを特徴とする。
上記手段では、手足に当接する複数のローラの周囲を保護部材で構成することで、手足を保護するとともに、転圧する複数のローラによる負荷を緩衝させる。また、ステーに装着されるローラは、ローラ本体部によりステーに確実に連結される。
また、本発明では、上記マッサージ器において、上記保護部材は、針入度の異なる弾性材から成ることを特徴とする。
上記手段では、複数のローラに設けられる針入度の異なる保護部材により、異なる負荷を手足に提供することができる。
また、本発明では、上記マッサージ器において、ステーには、上記複数のローラの組付け位置を変更する組付調整機構が設けられることを特徴とする。
上記手段では、使用者の手足の大小に対応して、手足を挟持する複数のローラの組付け位置を調整し、マッサージを行う前に複数のローラ間の距離の初期設定を変更することができる。
また、本発明では、上記マッサージ器において、ステーは、伸縮調整機構が設けられていることを特徴とする。
上記手段では、マッサージ器の使用姿勢に対応して、ステーが伸縮調整機構により伸縮して、操作部が使用者の近傍に配設されることが可能となる。また、複数のローラ間のステーに伸縮調整機構を設けることで、使用者の手足の大きさに適合させて複数のローラ間の距離を設定することが可能となる。
また、本発明では、上記マッサージ器において、複数のローラの間に配設されるステーには、バネ部材が設けられていることを特徴とする。
上記手段では、複数のローラにより転圧される際の負荷をバネ材により加減することができ、ステーの傾斜による複数のローラ間の距離の調整を助成することができる。
また、本発明では、上記マッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とする。
上記手段では、ステーに装着される第１ローラ及び第２ローラにより挟持される手足に、第１ローラ及び第２ローラが支点又は作用点となって、テコの原理により力点となる操作部に負荷される力が、過度の負荷を生じさせることもなく、効率よく伝達される。
また、本発明では、ステーと、ステーに設けられる操作部と、ステーに回転可能に装着されるローラとからなるマッサージ器において、操作部には、前記ローラに略々平行に配置される取手部が設けられ、ローラの両端には、ローラより拡径されてローラの回転とは独立して回転する走行輪が設けられ、前記ローラは、前記ステーの装着部に前記走行輪とともに一体に組付けされ、前記ステーと前記ローラとで囲まれて形成される挿入部から手足を挿入させ、手足に当接して回転する前記ローラが前記走行輪の回転とは独立して手足に沿って転圧し、前記取手部から前記ローラまでの距離をＬ３とし、前記装着部の長さをＬ４としたときに、Ｌ３＞Ｌ４であることを特徴とするマッサージ器である。
上記手段では、手足に沿って移動するローラの移動方向と取手部の操作方向を略一致させる。また、ステーとローラとで囲まれて形成される挿入部から挿入される手足は、確実にローラに載設される。そして、ローラと独立して走行する走行輪により手足の自重圧の反力が利用されて手足を転圧し、ローラの両端に設けられる走行輪によって手足は、正確にローラに載設されて転圧される。さらに、挿入部から挿入される手足に沿って転圧するローラの移動が円滑に行われる。
また、本発明では、ステーと、ステーに設けられる操作部と、ステーに回転可能に装着されるローラとからなるマッサージ器において、操作部には、前記ローラに略々平行に配置される取手部が設けられ、前記ローラは、前記ステーと前記ローラとで囲まれて形成される挿入部から手足を挿入させ、手足に当接して回転する前記ローラが前記走行輪の回転とは独立して手足に沿って転圧し、前記走行輪は着脱可能であることを特徴とするマッサージ器である。
上記手段では、手足に沿って移動するローラの移動方向と取手部の操作方向を略一致させる。また、ステーとローラとで囲まれて形成される挿入部から挿入される手足は、確実にローラに載設される。そして、ローラと独立して走行する走行輪により手足の自重圧の反力が利用されて手足を転圧し、ローラの両端に設けられる走行輪によって手足は、正確にローラに載設されて転圧される。さらに、径の異なる走行輪に変更可能となる。
また、本発明では、上記マッサージ器のマッサージ方法であって、ステーと、ステーに設けられる操作部と、ステーに回転可能に装着されるローラとからなるマッサージ器を用いるマッサージ方法であって、手足を挟持させるように上記ステーに装着される複数のローラで構成されている上記ローラと上記ステーとで囲まれて形成される挿入部に手足を挿入し、複数のローラ間の上記ステーの延長方向に配置される上記操作部を操作して、ステーの傾斜度を変えることで複数のローラ間の距離を調整し、同時に複数方向から移動自在に複数のローラが手足に沿って転圧することを特徴とするマッサージ方法である。
上記手段では、挿入部から手足を挿入させることで、ステーの傾斜度を変化させることによる複数のローラ間の距離の調整が、マッサージ器から手足が離脱することなく行われ、転圧する複数のローラの移動が手足に沿って導かれる。
また、本発明では、上記マッサージ器のマッサージ方法であって、ステーと、ステーに設けられる操作部と、ステーに回転可能に装着されるローラとからなるマッサージ器を用いるマッサージ方法であって、上記ローラの両端には上記ローラより拡径されて独立に回転する走行輪が設けられ、上記ステーと上記ローラとを一体に組付けして形成される挿入部から手足を挿入して上記ローラに載設し、手足に当接して回転する上記ローラが上記走行輪の回転とは独立して手足に沿って転圧することを特徴とするマッサージ方法である。
上記手段では、挿入部から手足を挿入させることで、両端に走行輪が設けられるローラに手足が載設され、走行輪とローラのそれぞれ独立した回転を阻害することなく手足に沿ってローラを移動させて転圧することができる。したがって、挿入部から挿入された手足をローラ上に安定に載設させながら、片手で操作部を把持して転圧することが可能となる。
また、本発明では、上記マッサージ器のマッサージ方法であって、ステーと、ステーに設けられる操作部と、ステーに回転可能に装着されるローラとからなるマッサージ器を用いるマッサージ方法であって、上記ローラの両端に設けられる上記ローラより拡径されて独立に回転する走行輪を把持して、手足に上記ローラを押し当てて押圧するとともに、上記走行輪に独立して回転する上記ローラを手足に沿って転圧させることを特徴とするマッサージ方法である。
上記手段では、ローラに独立に回転してローラよりも拡径に形成された走行輪を把持することで、手足に押し当てられたローラは円滑に回転しながら手足に沿って転圧する。
以下、第１の発明を実施するための最良の形態におけるマッサージ器及びマッサージ方法の実施の形態を図面に基づいて説明する。
第１図〜第７図は、本発明に係るマッサージ器の実施の形態（１）を示すものである。
この実施の形態（１）のマッサージ器１は、ステー１０と、ステー１０に装着される第１ローラ２０及び第２ローラ３０と、第１ローラ及び第２ローラ間のステー１０の延長方向へ延設される操作部３とで構成され、ステー１０と、第１ローラ２０及び第２ローラ３０と、操作部３とが一体に組付けされている。
ステー１０は、略々コの字状に形成され、パイプ状の鋼材等を用いることが望ましい。略々コの字状のステー１０の開放部１１に対向する基部１２と、基部１２に隣接する側部１３及び１４で構成され、側部１３及び１４に後述する操作部３が配設される。基部１２は、後述する第１ローラ２０の幅長よりも大きく形成されている。
第１ローラ２０は、ローラ本体部２１と保護部材２２とで構成される。
ローラ本体部２１は、中心部にステー１０が挿入できる孔４１を備えたベアリング４０が設置可能な溝２１ａが設けられていて、幅方向には、ステー１０が挿入される挿入孔２１ｂが穿孔されている。また、ローラ本体部２１は、ベアリング４０及びステー１０に回転可能に転結されるため、金属材やプラスチック材等の剛性の高いもので成形されることが望ましい。
保護部材２２は、弾性材からなり、針入度がα、厚さがｗ１に形成されている。この保護部材２２は、ローラ本体部２１の外表面を被覆するようにローラ本体部２１に設置される。
第２ローラ３０は、ローラ本体部３１と保護部材３２とで構成される。
ローラ本体部３１は、中心部にベアリング４０ａが設置可能な溝３１ａが設けられ、幅方向には挿入孔３１ｂが穿孔されている。また、ベアリング４０ａの中心部には、孔４１ａが形成されて、ステー１０に連結ピン５１を介して連結される連結杆５０が挿入孔３１ｂ及び孔４１ａに挿入されて設置される。また、ローラ本体部２１と同様に、金属材やプラスチック材等の剛性の高いもので成形されることが望ましい。連結杆５０は、ステー１０と同様にパイプ状の鋼材等を用い、長さは、ローラ本体部３１よりも長く形成されている。
保護部材３２は、弾性材からなり、針入度がβ、厚さがｗ２に形成されている。この保護部材３２は、ローラ本体部３１の外表面を被覆するようにローラ本体部３１に設置される。また、第１ローラ２０に設置される保護部材２１の厚さｗ１よりも厚いｗ２で形成され、ｗ１＜ｗ２となっている。
このように構成される第１ローラ２０は、ステー１０の基部１２に幅方向の両側に設けられるベアリング４０を介して、回転可能にステー１０に装着される。また、基部１２に沿って第１ローラ２０が移動してガタ付かないように、両側にガタ付き防止用に止金２４がそれぞれ設けられている。第２ローラ３０は、ベアリング４０ａを介して、連結杆５０が挿入孔３１ｂに挿入され、ステー１０と連結杆５０が連結部５２において連結ピン５１で一体に組付けされる。また、第１ローラ２０と同様に、ガタ付き防止用の止金３４が設けられている。ローラ本体部２１及び保護部材２２の幅長は共にＤ１であり、ローラ本体部３１及び保護部材３２の幅長は共にＤ２となっている。
操作部３は、第２ローラ３０がステー１０に連結されている連結部５２からステー１０の側部１３、１４の端部までとなる。また、基部１２から連結部５２までの距離はＬ１、連結部５２からステー１０の側部１３、１４の端部までの距離はＬ２であり、Ｌ１＜Ｌ２となるように構成されている。
ステー１０の側部１３、１４の端部には、円筒状に形成された取手部４が設けられている。この取手部４は把持可能な大きさで表面が滑らかに形成され、プラスチック材や木材等を用いることが望ましい。
また、第３図に示すように、ステー１０は、連結部５２から折曲されて、その傾斜角は、ステー１０から操作部３までθ°となっている。また、操作部３は傾斜角θ°内で、ステー１０の弾性により傾倒可能となっている。
このように構成される実施の形態（１）のマッサージ器１は、第１ローラ２０と第２ローラ３０とで挟み込むように下肢２００を第１ローラ２０及び第２ローラ３０との間に挿入し、両手で操作部３を把持して、大腿部及び下腿部等の下肢２００全体の血液とリンパの循環を促すマッサージを行うことが可能となる構成となっている。
次に、マッサージ器１の使用方法について説明する。
ステー１０が連結部５２から折曲されている内側方向から、第１ローラ２０と第２ローラ３０との間に形成される挿入部１０１から下肢２００を挿入させ、両手で操作部３の端部の取手部４を把持する。ステー１０に対して鉛直方向の第１ローラ２０及び第２ローラ３０間の距離をローラ間距離Ｌとする。
第５図に示すように、下肢２００のつま先部２３０側の下腿部２１０ａを挟持するマッサージ器１の状態をＡ状態とした場合、下肢２００の基準軸として基準線Ｇが決まる。Ａ状態のマッサージ器１の第１ローラ２０及び第２ローラ３０間のステー１０は、基準線Ｇに対して傾斜度θａで傾斜している。よって、基準線Ｇに対して鉛直方向の第１ローラ２０及び第２ローラ３０間の距離をローラ間距離Ｌ′とすると、Ａ状態におけるローラ間距離Ｌ′ａはＬＳｉｎθａとなり、ステー１０の傾斜により、第１ローラ２０及び第２ローラ３０が下肢２００の下腿部２１０ａの形状に合わせて挟持するようローラ間の距離が調整されて、ローラ間距離Ｌよりも短くなる。したがって、形状が転圧箇所によって異なる下肢２００に沿って第１ローラ２０及び第２ローラ３０を転圧させ、下腿部２１０ａ（Ａ状態）よりも形状が大きい下腿部２１０ｂに転圧させてＢ状態となるときは、基準線Ｇに対してステー１０をつま先部２３０側に傾斜させ、基準線Ｇに対してＡ状態の傾斜度θａよりも角度の大きい傾斜度θｂとすることで、Ｂ状態におけるローラ間距離Ｌ′ｂ（＝ＬＳｉｎθｂ）がローラ間距離Ｌ′ａよりも大きく調整される。このとき、下肢２００に沿って第１ローラ２０及び第２ローラ３０を転圧させる移動と、下肢２００の形状に合わせてステー１０を傾斜させる操作は操作部３によって同時に行われる。
さらに、第１ローラ２０及び第２ローラ３０で転圧されている下肢２００に加わる負荷について説明する。
第３図、第４図に示すように、第１ローラ２０及び第２ローラ３０は、下肢２００を負荷Ｆ１及びＦ２で押圧している。テコの原理により取手部４（操作部３）が力点となり、下肢２００の上面側を押圧している第２ローラ３０が支点となると同時に、第１ローラ２０が支点の役目を果たし、第２ローラ３０が作用点ともなり、負荷Ｆ２で下肢２００の上面側を押圧している。また、同様に、力点となる取手部４（操作部３）に加わる略々下方向の負荷Ｆにより、第１ローラ２０は作用点となって、負荷Ｆ１で下肢２００の下面側を押圧している。よって、第５図に示すように、下肢２００に沿ってマッサージ器１を移動させる際には、取手部４（操作部３）を操作してステー１０の傾斜度を変え、ローラ間距離Ｌ′ａ及びＬ′ｂを調整することで、第１ローラ２０及び第２ローラ３０が下肢２００を押圧する負荷Ｆ１及びＦ２を調整することができる。下肢２００を押圧する負荷Ｆ１及びＦ２により、第１ローラ２０及び第２ローラ３０の外表面に設置されている保護部材２２、３２が弾性変形して、下肢２００を保護する。なお、操作部３の取手部４に加わる略々下方向の負荷Ｆは、基準線Ｇに対してステー１０の傾斜度θａ及びθｂを小さく又は大きくするように操作部３を操作して、ローラ間距離Ｌ′ａ及びＬ′ｂを調整することで、負荷Ｆ１及びＦ２の強弱を制御する。
したがって、この実施の形態（１）のマッサージ器１は、下肢２００の形状に適合させるように、操作部３を操作し、下肢２００の形状に合わせてステーを傾斜させることで、下肢２００の基準線Ｇに対してステー１０の傾斜度を変化させてローラ間距離Ｌ′を短く又は長く調整する。よって、一定のローラ間距離Ｌに関係なく、下肢２００に沿って円滑に転圧される。また、挿入部１０１から下肢２００を挿入させることで、ステー１０の傾斜度を変化させてローラ間距離Ｌ′の調整をおこなう際に、マッサージ器１から下肢２００が離脱することなく行われ、転圧する第１ローラ及び第２ローラの移動が手足に沿って導かれる。したがって、下肢２００には、第１ローラ及び第２ローラにより安定したマッサージが提供される。
さらに、第１ローラ２０及び第２ローラ３０により挟持された下肢２００は、同時に２方向から押圧されて、下肢２００全体の血行と併せて、血液循環系の心臓に相当するポンプを持たないリンパ系のリンパの流れを効率的に促進するとともに、筋肉等をほぐす効果があり、下肢２００の弾力性や柔軟性を回復させることが可能となる。また、下肢２００に沿ってマッサージ器１を移動させる際、テコの原理により第１ローラ２０及び第２ローラ３０の転圧にかかる負荷Ｆ１及びＦ２は、マッサージ器１の移動に要する力Ｆ３に分散されることなく、下肢２００を移動自在に転圧することが可能となる。
さらに、このマッサージ器１の使用時の姿勢は、椅子等に腰掛けて使用することもでき、また、膝を立てるように床面に座った状態での使用も可能で、その使用時の姿勢は全く制限されることはない。
さらに、第１ローラ２０及び第２ローラ３０は、ローラ本体部２１、３１の周囲に、針入度及び厚さが異なる保護部材２２、３２が被覆されている。よって、下肢２００の下腿部２１０では、上面側が下面側より硬い部位であるため、針入度をα＜βである弾性材を採用することで、下肢２００の部位に対して最適な緩衝を提供して保護する。なお、α＞＝βであっても、保護作用に支障をきたすことはない。
さらに、保護部材２２、３２の厚さをｗ１＜ｗ２にすることで、緩衝作用がさらに向上し、針入度が同一の弾性材を用いた場合でも保護部材３２の変形量が大きくなるため、下肢２００の部位に適合した緩衝作用を提供でき、高いマッサージ効果が得られる。なお、ｗ１＞＝ｗ２であっても、緩衝作用に支障をきたすことはない。
さらに、第１ローラ２０及び第２ローラ３０のステー１０への装着は、ローラ本体部３１及び４１に設けられるベアリング４０、４０ａを介して行われるため、常に安定して固定され、下肢２００に対して最適な押圧を提供している。
さらに、ステー１０は連結部５２から折曲されて形成されているため、使用時の姿勢は、下肢２００に無理に近づける必要はなく、操作部３が常に使用者の近傍に配置されるので安定した操作が提供される。よって、航空、鉄道等の長時間の移動時においても場所をとらずに使用できる。また、第１ローラ２０及び第２ローラ３０が下肢２００を同時に２方向から押圧するため、極めて短時間でのマッサージ効果を提供することができ、オフィス等においても無理なく使用できる。
さらに、第５図に示すように、操作部３はステー１０の弾性による傾倒が可能となっているため、例えば、Ｂ状態にあるステー１０は下肢２００とマッサージ器１との位置関係が保持されたまま、ステー１０の操作部３が傾倒してＣ状態となる。したがって、取手部４に加わる負荷Ｆが直接に第１ローラ２０及び第２ローラ３０に伝達されて下肢２００を過度に締付けることを防止している。したがって、取手部４に負荷された力は、傾倒による緩衝作用により、第１ローラ２０及び第２ローラ３０へ緩徐な伝達となる。
さらに、基部１２から連結部５２までの長さＬ１と、連結部５２から側部１３、１４の端部までの長さＬ２とがＬ１＜Ｌ２の関係に構成されているため、テコの原理により取手部４には最小限の力を加えることで、最適な力を下肢２００に伝達することが可能となり、下肢２００に沿って移動させる力Ｆ３を妨げることがない。したがって、マッサージ器１の移動性及び操作性は極めて高く、操作部３の端部には取手部４が設けられているため、下肢２００への負荷の加減など容易にコントロールすることができる。なお、上記の長さ関係をＬ１＞＝Ｌ２とした場合でもテコの作用に支障をきたすことはない。
さらに、第６図に示すように、第１ローラ２０及び第２ローラ３０の幅長をＤ１＞Ｄ２としているため、下肢２００に無駄なく適度な負荷を提供することが可能で、下肢２００を挟持する第１ローラ２０及び第２ローラ３０を下肢２００の側部方向に容易に移動できる。したがって、下肢２００の両側面のマッサージにおいても、第１ローラ２０が第２ローラ３０よりも幅長が短いため、容易に各ローラの押圧方向を変更でき、下肢２００の全体に対してスムーズなマッサージを提供することが可能となる。なお、第１ローラ２０及び第２ローラ３０の幅長をＤ１＜＝Ｄ２としても操作に支障をきたすことはない。
さらに、第７図に示すように、下肢２００の側部の転圧も、第１ローラ２０及び第２ローラ３０で下肢２００の側部を挟み込むように挿入部１０１から下肢２００を挿入させて、下肢２００に沿って移動自在に転圧することが可能である。したがって、下肢２００に沿って転圧する際の操作は、操作部３の操作により使用時に無理な姿勢をさせることなく転圧を行うことができ、操作性が高いマッサージ器１によりスムーズなマッサージを提供している。
第８図に本発明に係る実施の形態（２）を示す。
実施の形態（２）は、前述の実施の形態（１）の第１ローラ２０及び第２ローラ３０を略々分割して構成される第１ローラ２０ａ、２０ｂ及び第２ローラ３０ａ、３０ｂの合計４個のローラを採用している。
ステー１０は、前述の実施の形態（１）と同様に形成され、第１ローラ２０ａ及び第１ローラ２０ｂが間隔ｗ３でステー１０の基部１２に装着されている。また、第２ローラ３０ａ、３０ｂは間隔ｗ４で連結間５０に装着され、ステー１０に連結固定されている。その他の各ローラのローラ本体部、保護部材、ベアリング等の構成は、前述の実施の形態（１）と同様なものとなっている。
このように構成される実施の形態（２）のマッサージ器１ａは、各ローラの設置間距離をｗ３、ｗ４となるように構成されているため、第１ローラ２０ａ、２０ｂはそれぞれ独立して回転して下肢２００を転圧することを可能としている。したがって、下肢２００の形状によって当接するローラは、それぞれが独立した回転速度（角速度）で下肢２００を転圧することができ、各ローラが当接する下肢２００の部位に適した負荷を提供することが可能となる。さらには、設置間距離ｗ３、ｗ４は、各ローラが下肢２００に沿って転圧する際の下肢２００に与える負荷による反力を逃がす作用があり、保護部材の緩衝作用を助成しマッサージ効果がさらに向上したマッサージ器１ａを提供することができる。なお、その他の作用、効果においては、前述の実施の形態（１）と同様に奏される。
第９図に本発明に係る実施の形態（３）を示す。
実施の形態（３）は、前述の実施の形態（１）のステー１０において、操作部３が配設されるステー１０の側部を傾斜角θ°で連結部５０から折曲形成ではなく、ステー１０の側部１３、１４を湾曲形成したステー１０ａを採用している。
ステー１０ａは、前述の実施の形態（１）と同様に略々コの字状に形成されるが、ステー１０の側部１３、１４を湾曲させてアーチ状に形成する。第２ローラ３０は、湾曲形成されステー１０の側部１３、１４に連結杆５０を介して、前述の実施の形態（１）と同様に連結されている。操作部３の端部から第２ローラ３０へ延びる接線と、第１ローラ２０が装着されている基部１２側の側部から第２ローラ３０へ延びる接線との交わる傾斜角は、前述の実施の形態（１）のように角度θ°となるように成形される。その他の構成は、前述の実施の形態（１）と同様なものとなっている。なお、作用、効果においては、前述の実施の形態（１）と同様に奏される。
第１０図に本発明に係る実施の形態（４）を示す。
実施の形態（４）は、前述の実施の形態（１）において、取手部４が設けられている２本の操作部３を１本に形成して、片手での操作を実現し、マッサージ器１ｃを上肢においても使用することが可能となる。
この実施の形態（４）のマッサージ器１ｃは、略々Ｓ字状のステー１５と、ステー１５に装着される第１ローラ２０及び第２ローラ３０と、ステー１５の第２ローラが装着されている側の端部に設けられる取手部４で構成されている。
ステー１５は、略々Ｓ字状に折曲されて形成され、第１ローラ２０及び第２ローラ３０が装着辺１５ａ、１５ｂに装着されている。また、取手部４が設けられる操作部３は、第１ローラ２０及び第２ローラ３０の略々中央に位置するように辺１５ｆが辺１５ｃの延長方向と略々平行と成るように折曲され、装着辺１５ｂと辺１５ｄとの折曲されている折曲部５２ａから操作部３までは、前述の実施の形態（１）と同様に、傾斜角θ°で折曲されている。その他の構成は、前述の実施の形態（１）と同様である。
この実施の形態（４）のマッサージ器１ｃは、片手で取手部４を把持し、図示しない上肢を辺１５ｃの対向側の開口１５ｇから第１ローラ２０及び第２ローラ３０に挟持されるように挿入し、下肢２００のマッサージ同様に、第１ローラ２０及び第２ローラ３０により同時に２方向から上肢を押圧することができる。また、前述の実施の形態（１）と同様に下肢２００に対しても片手で使用することが可能となる。したがって、使用時の姿勢を自由にして使用でき、マッサージ器１ｃの操作性及び携帯性はさらに向上される。
さらに、マッサージ器１ｃの製作においては、略々Ｓ字状に折り曲げる前のステー１５に、第１ローラ２０及び第２ローラ３０を装着してから、略々Ｓ字状に折曲げてマッサージ器１ｃを容易に製作することができ、軽量化されるとともに製造コストが低減される。なお、その他の作用、効果においては、前述の実施の形態（１）と同様に奏される。
第１１図に本発明に係る実施の形態（５）を示す。
実施の形態（５）は、前述の実施の形態（１）〜（３）において、ステー１０に組付調整機構６０が設置されている。
組付調整機構６０は、第２ローラ３０を連結する連結杆５０とステー１０との連結部５２に設置される。一部が開口している略々円状に形成された支持部材６１が、ステー１０の側部１３、１４にピン等で複数個が固定される。支持部材６１の内径は連結杆５０の径に嵌合するように形成され、開口された部分が弾性により広く開口するように、ある程度弾性、剛性を有するプラスチック又はステンレス等を用いて支持部材６１を形成することが望ましい。したがって、連結杆５０は、支持部材６１の弾性により開口部分を広げながら開口部分の上方から着脱自在に設置可能となる。また、支持部材６１の側方向から挿入させるように連結杆５０を着脱自在に設置することも可能である。
この実施の形態（５）では、連結杆５０を着脱自在にステー１０に装着することが可能となり、マッサージ器の使用目的に合わせて針入度の異なる保護部材を有する第２ローラ３０に変更することが容易となる。また、ステー１０に複数個の支持部材６１が配設されているため、使用者の下肢２００の形状に合わせて第１ローラ２０と第２ローラ３０とのローラ間距離Ｌを短く設定したい場合は、第１ローラ２０方向の支持部材６１に連結杆５０を装着することで、距離Ｌｃ分短く設定して、ローラ間距離をＬｄに任意に変更することが可能となる。したがって、第２ローラが着脱自在となるとともに、使用者の下肢２００の形状、大きさに適合させるようにその組付位置を変更して、初期の設定を行うことを容易にするため、マッサージ器の汎用性が向上する。
第１２図に本発明に係る実施の形態（６）を示す。
実施の形態（６）は、前述の実施の形態（１）〜（３）において、ステー１０の操作部３に伸縮調整機構７０が設置されている。
伸縮調整機構７０は、ステー１０の軸方向に連続形成される係止孔７１と、係止孔７１に係合する係止フック７２とで構成され。連続形成される係止孔７１の位置を変更することでステー１０の長さを伸縮させることを可能としている。
ステー１０は、係止孔７１が穿孔されるステー１０ｄと、端部に係止フック７２が設けられるステー１０ｃとで構成され、ステー１０ｃ、１０ｄはパイプ状で内部が空洞であるステンレス製を使用している。ステー１０ｃの内径ｄ１はステ１０ｄの外形ｄ２に係合するように形成されている。よって、ステー１０ｃがステー１０ｄをスライドしてステー１０が伸縮される。
したがって、伸縮調整機構７０でステー１０の長さを調整する場合は、Ｐ状態にある係止フック７２を係止孔７１ｐから取り外し、ステー１０ｃをスライドさせて、係止フック７２を係止孔７１ｑに係合させることで、Ｑ状態となりステー１０が伸長される。このとき係止フック７２は、係止孔７１に係合しているため、ステー１０の軸方向のガタつきが防止されて使用者の使用時の姿勢や、使用者の身長、身体サイズ、体格等に適合させることが可能となり、操作性が向上し、極めて高い汎用性を提供することができる。
また、この実施の形態（６）の伸縮調整機構７０は、操作部３に設置されてステー１０の操作部３の操作性を向上させることも可能であるが、第１ローラ２０及び第２ローラ３０との間のステー１０に設置することで、マッサージ器１の使用前に使用者の使用姿勢や身長、身体サイズ、体格等にあったローラ間距離を任意に設定することができ、前述の実施の形態（５）と同様の作用・効果を提供している。
第１３図、第１４図に、実施の形態（７）を示す。
実施の形態（７）は、前述の実施の形態（１）において、第１ローラ２０と第２ローラ３０との間のステー１０に、バネ部材を使用したステー１６を採用しているマッサージ器１ｄである。
ステー１６は、前述の実施の形態（１）と同様に、略々コの字状に形成され、第１ローラ２０と第２ローラ３０との間のステー１６に、バネ部材８０が配設され、バネ部材８０の周囲には被覆部材９０が設けられている。
第１ローラ２０と第２ローラ３０との間のステー１６には、後述するバネ部材８０を掛止するための掛止孔１６ｃが辺１６ａ及び辺１６ｂの両端に穿孔されている。
バネ部材８０は、第１４図に示すように、掛止孔１６ｃに掛止される掛止用フック８２が両端に設けられるバネ材８１で構成され、ステー１６の辺１６ａ及び１６ｂに掛止用フック８２により掛止されて連結されている。バネ部材８０は、弾性力の強い鋼鉄製のバネ材８１で構成することが望ましい。また、バネ部材８０の周囲には、手足を保護するための被覆部材９０が設けられ、被覆部材９０はバネ部材８０の伸縮に際して伸縮可能なゴム材等で形成されている。
このように構成されるマッサージ器１ｄは、バネ部材８０の弾性による伸張長さＬｅ分を前述の実施の形態（１）のローラ間距離Ｌよりも短く形成し、第１ローラ２０から連結杆５０までの距離をＬｆとなるように形成される。
したがって、この実施の形態（７）のマッサージ器１ｄは、第１ローラ２０及び第２ローラ３０とで挟持される下肢２００を押圧する力が、バネ部材８０の弾性力により助成されるとともに、ステー１６を傾斜させて傾斜度を調整する際に、バネ部材８０の伸張により下肢２００を過度の押圧を強いることなく、下肢２００に沿って転圧可能となる。また、バネ部材８０の伸縮によって、挟持する下肢２００の形状や部位による差異に応じ、下肢２００の基準軸Ｇに対して第１ローラ２０と第２ローラ３０との傾斜度が調整され、操作部３の操作によるステー１６の傾斜度の変更も助成し、操作性がより向上するとともに使用時の姿勢がより自由となる。また、被覆部材９０によってバネ部材８１と下肢２００は隔離されるので、バネ材８１に下肢２００は狭窄されて損傷することを防止している。なお、その他の作用、効果においては、前述の実施の形態（１）と同様に奏される。
また、図示しないが、前述の実施の形態（６）の伸縮調整機構７０とバネ部材８１とを組み合わせた機構を構成することも可能であり、この組み合わせた機構を第１ローラ２０及び第２ローラ３０間のステー１６に設置することで、ローラ間距離がバネ部材８１の弾性力により伸縮調整が円滑に行われ、汎用性の高いマッサージ器を提供することも可能である。
第１５図、第１６図に本発明に係る実施の形態（８）を示す。
実施の形態（８）は、前述の実施の形態（１）において、操作部３と、第１ローラ２０及び第２ローラ３０間のステー１０に蝶番９０を配設して、不使用時に折り畳みが可能となる構成となっている。
ステー１０は、操作部３と第１ローラ２０及び第２ローラ３０間がそれぞれを分割するように形成され、それぞれ分割する箇所Ｗに蝶番９０をピン９０ａで固定する。よって、操作部３は、第１５図に示すようにマッサージ器１ｅの内部方向に蝶番９０により折り曲げ可能となり、折り畳むことが可能となる。また、第１ローラ２０及び第２ローラ３０間のステー１０においても、蝶番９０により折り畳み可能となる。
また、第１６図に示すように、蝶番９０の対向側に固定部材９１を配設し、使用時にステー１０が折り畳まれないようにステー１０に形成したフック孔９１ａに固定部材９１のフック９１ｂを係合させて固定させる。
この実施の形態（８）のマッサージ器１ｅによると、不使用時にステー１０をコンパクトに折り畳むことができ、携帯性が向上する。したがって、不使用時はコンパクトに折り畳んで机の引出やカバン等に収納可能となり、オフィスや旅先に容易に持ち運びすることができる。また、前述の実施の形態（６）の伸縮調整機構７０と組み合わせて構成することも可能であり、例えば、操作部３に伸縮調整機構７０を配設して、ステー１０を短縮させた後に折り畳み可能とすることでよりコンパクトに折り畳むことができる。なお、その他の作用、効果においては、前述の実施の形態（１）と同様に奏される。
第１７図〜第２１図に本発明に係る実施の形態（９）を示す。
実施の形態（９）は、前述の実施の形態（１）、（４）、（６）をさらに改良したマッサージ器１ｆの実施形態である。
マッサージ器１ｆは、ステー１０ｂ、１０ｃと、第１ローラ２０ａと、第２ローラ３０ａと、操作部３と、伸縮調整機構７０ａとから構成され、その他の構成は前述の実施の形態の同様である。
前述の実施の形態（６）と同様に、ステー１０ｂには、伸縮調整機構７０ａが設けられるステー１４ａに、伸縮調整のための空洞Ｈが設けられ、ステー１０ｃには、空洞Ｈに係合するステー１４ｂが形成されている。したがって、ステー１０ｂとステー１０ｃとを着脱自在に構成することも可能である。また、これらのステー１０ｂ、１０ｃ等は、熱可塑性樹脂や熱硬化性樹脂（例えば、ポリカーボネードやポリアミド等）を用いて成形されることが望ましい。そして、ステー１０ｃに第１ローラ２０ａが、ステー１０ｂに第２ローラ３０ａが各々着脱自在に配設される。
また、第１ローラ２０ａが配設されるステー１０ｃには、第１ローラ２０ａを配設するためにステー１４ｃが形成される。このステー１４ｃは、第１ローラ２０ａと接触しないように、空隙１４ｄが設けられるように、湾曲に形成され、第１ローラ２０ａを保護する役目も果している。第２ローラ３０ａも同様に、空隙１４ｆを形成するようにステー１４ｅが湾曲されて形成されている。
第１ローラ２０ａは、第１９図に示すように、ローラ本体部２１ａと保護部材２２とで構成され、ローラ本体部２１ａに、連結軸５００、５０１が設けられて、ステー１４ｃ側の軸受部５０６に着脱自在に取付けられる。連結軸５０１は、バネ材５０３によりローラ本体部２１ａ内に出入り可能に構成する。したがって、連結軸５０１は、第１ローラ２０ａを連結軸５０１側に移動させると、連結軸５０１がローラ本体部２１ａの空洞５０３内に入り込むので、第１ローラ２０ａは容易に着脱され、また、バネ材５０３に弾性力によって、連結軸５０１が押し出されるため、第１ローラ２０ａが確実にステー１０ｃに配設される。
また、ステー１４ｃに形成される軸受部５０６は、第１ローラ２０ａを回転可能に円滑に支持するために、ベアリング等が設けられることが望ましいが、第１ローラ２０ａが円滑に回転できれば、ベアリングを設けなくても何ら支障はない。第２ローラ３０ａも同様に構成される。
伸縮調整機構７０ａは、ステー１０ｂに設けられる調整ストッパー７１ａと、ステー１４ｂに設けられる凹部７０１と凸係７０２とで構成される。調整ストッパー７１ａには、凹部７０１に係合する係合片７２ａが形成され、ステー１４ａに形成される係止孔７４ａを介して凹部７０１に係合される。また、係合片７２ａの係合を確実なものとするために、係合案内部７６ａをステー１４ａに設けることが望ましい。さらに、調整ストッパー７１ａには、係止片７２ａと凹部７０１との係合を操作する押部７３ａが設けられるとともに、サイド片７７ａを調整ストッパー７１ａの両側に形成して、ステー１４ａに両サイド片７７ａを回動可能に狭持させて固定する。よって、両サイド片７７ａは、後述するテコの原理の支点となるとともに、調整ストッパー７１ａのブレ等を防止させる役割を担うことになる。そして、押部７３ａとステー１４ａの間にバネ材７５ａを設けて、バネ材の弾性力を利用したテコの原理（両サイド片７７ａを支点とする）により係合片７２ａを確実に凹部７０１に係合させている。したがって、第２０図に示すように、押部７３ａを押下することで、係止片７２ａと凹部７０１との係合が解除され、ステー１０ｃの長さを自由に調整し、調整が終わったら押部の押下を解除すれば、バネ材７５ａの弾性力により押部７３ａが押し上げられて、係止片７２ａが確実に凹部７０１に係合されることになる。また、両サイド片７７ａを支点とせずとも、係止片７２ａと押部７３ａの間に支点部を設ける構成としてもよい。
また、前述の実施の形態（１）と同様に、ステー１０ｂは、第２ローラ３０ａとの連結部付近から折曲又は湾曲して形成され、その傾斜角は、ステー１０から操作部３までθ°となっているが、この実施の形態（９）では、操作部３の端部（取手部４ａ）から距離Ｌ８にあるステー１０ｂを傾斜角θより浅い傾斜角度に形成する。第２１図に示すように、操作部３の端部（取手部４ａ）から距離Ｌ８にあるステー１０ｂの傾斜角をθ＋θ１と形成する。また、取手部４ａを含む操作部３は、ステー１０ｂと分離可能に形成される。例えば、ステー１０ｂの操作部３側に溝４０１を形成し、取手部４ａ側の操作部３に溝４０１に係合する溝４０２を形成して着脱自在とさせる構成をとる。
さらに、操作部３と取手部４ａの間に、取手部４ａを把持する際に指を挿入するための挿入孔４ｂを形成する。例えば、取手部４ａを把持した場合、人差し指と中指とを挿入孔４ｂに挿入され、その他の指が把持部４ｃを把持するように形成するとよい。
この実施の形態（９）のマッサージ器１ｆによると、第１ローラ２０ａと第２ローラ３０ａの着脱性が向上されるため、ローラの交換が容易となり、使用者に適合するローラによるマッサージを提供することができる。
さらに、伸縮調整機構７０ａの調整を調整ストッパーを利用してワンタッチとしたため、第１ローラ２０ａと第２ローラ３０ａの距離を容易に調整できる。
また、操作部３の端部（取手部４ａ）から距離Ｌ８にあるステー１０ｂを傾斜角θより浅い傾斜角度に形成するため、使用者の近傍、例えば、脹脛の上部や大腿部付近での使用時に、操作部３、取手部４ａが使用者に接触せず、円滑な操作を提供することが可能となる。（ステー１０ｂの傾斜角を操作部３の端部（取手部４ａ）から距離Ｌ８のところから、傾斜角θ＋θ１とすることで、使用時の操作部３が使用者から離れた場所に位置することができる。即ち、第２１図の距離Ｌ９分だけ、使用者から遠ざかる位置に操作部３、取手部４ａが位置する。）
また、操作部３と取手部４ａの間に、取手部４ａを把持する際に指を挿入するための挿入孔４ｂを形成するため、取手部４ａの把持性が向上され、操作性が向上される。なお、その他の作用、効果は前述の実施の形態と同様に奏される。
また、取手部４ａを含む操作部３は、ステー１０ｂと分離可能に形成されるため、使用者に適合する取手部４ａを作成し、使用者個人の操作性能を提供することも可能となる。
次に、第２２図〜第２７図に、下肢におけるマッサージをより機能的、効果的に行えるマッサージ器の別形態を実施の形態（１０）として示す。
この実施の形態（１０）のマッサージ器１００は、主に下肢を中心としたマッサージを提供する。
マッサージ器１００は、ステー１１０と、ステー１１０に装着されるローラ１２０と、ローラ１２０の両側に設置される走行輪１３０で構成されている
ステー１１０は、パイプ状の鋼材等を略々コの字状に形成し、各辺１１１、１１２、１１３及び後述するローラ１２０が装着される装着部１１９となる端部１１４で囲まれる方形の挿入部１０２を形成するように組み付けられ、辺１１１から装着部１１９（端部１１４）の方向に広がるように折曲されて形成されている。また、挿入部１０２は、装着部１１９（端部１１４）の長さＬ４よりも辺１１１から略々コの字状に開口されている装着部１１９（端部１１４）に装着されるローラ１２０までの距離Ｌ３が長く形成されている。
ローラ１２０は、ローラ本体部１２１と、ローラ本体部１２１の外表面を被覆する保護部材１２２で構成され、ローラ本体部１２１と保護部材を合わせた径はＲ１となり、ローラ本体部１２１の中心部にはベアリング１５０が設置可能な溝１２１ａが設けられていて、ベアリング１５０の中心には、ステー１１０が挿入可能な挿入孔１５０ａが穿孔されている。ローラ１２０の幅長はＤ３である。
走行輪１３０は、ローラ１２０よりも径が大きくＲ２に形成され、幅長Ｄ４の円筒状であり、把持可能な大きさとなっている。走行輪１３０の中心にはベアリンク１５１が設置可能な挿入孔１３１ａが穿孔され、ベアリング１５１の中心にはステー１１０が挿入可能な挿入孔１５１ａが穿孔されている。走行輪１３０は、ローラ１２０とは独立して回転可能に、ステー１１０の装着部１１９にローラ１２０とともに装着される。また、走行輪１３０のガタ付き防止のため、止金１３１で連結固定される。また、ベアリング１５１は、ベアリング１５０よりも縮径されたものを採用している。
このように構成されるマッサージ器１００は、略々コの字状に開口されている端部１１４（装着部１１９）にローラ１２０と走行輪１３０が、ベアリング１５０、１５１、止金１３１を介して装着されて、辺１１１には把持可能に形成された筒状の取手部１４０がローラ１２０に略々平行に設けられる構成となっている。したがって、ベアリング１５０、１５１を介して装着されるローラ１２０と走行輪１３０は、個々が独立して回転可能となっている。また、ローラ１２０と走行輪１３０との間は、ベアリング１５０、１５１の径の大きさが異なっているため、ベアリング１５０、１５１がローラ１２０及び走行輪１３０の独立した回転を妨げることはない構成と成っている。
次に、第２４図、第２５図に基づいて、マッサージ器１００の使用方法について説明する。第２５図は、第２４図のＺ部の拡大図を示し、下肢２００がローラ１２０により転圧される際のローラ１２０と走行輪１３０の独立した回転を示している。
まず、第２４図に示すように、床面Ｔに走行輪１３０を当設し、挿入部１０２より片方の下肢２００を挿入させ、下肢２００の下面部をローラ１２０に載設する。この状態で、床面Ｔに座り、片手で取手部１４０を把持する。
そして、第２５図に示すように、大腿部２２０の方向に片手で取手部１４０を把持して移動させる際、走行輪１３０が床面Ｔに当接しながらＤ方向に回転し、下肢２００に保護部材１２２を介して当接するローラ１２０が走行輪１３０の回転方向Ｄとは逆方向のＥ方向に回転する。したがって、走行輪１３０とローラ１２０とが独立して逆方向に回転することで、下肢２００に沿って転圧可能となり、走行輪１３０とローラ１２０との径がＲ２＞Ｒ１になっているため、角速度の違いにより下肢２００はローラ１２０によって円滑に転圧される。
このようなマッサージ方法は、走行輪１３０によってローラ１２０に載設される下肢２００を安定に支持し、下肢２００の自重圧Ｆ４に対する反力Ｆ５を利用して、下肢２００に十分かつ最適なマッサージを提供することができる。また、下肢２００を挿入させる挿入部１０２は、装着部１１９（端部１１４）の長さＬ４よりも辺１１１から略々コの字状に開口されている装着部１１９（端部１１４）に装着されるローラ１２０までの長さＬ３が長く形成されている。よって、下肢２００を挿入させ下肢２００に沿ってローラ１２０を移動させるマッサージ器１００は、片手での操作で円滑なマッサージを提供することができる。
さらに、第２６図に示すように、下肢２００の大腿部２２０の下部の床面Ｔに走行輪１３０を当設し、大腿部２２０をローラ１２０に載設することで、自重圧Ｆ６に対する反力Ｆ７により転圧を行うことができる。この場合、取手部１４０を片手又は両手で把持するか、ステー１１０の辺１１２及び１１３を両手で把持して大腿部２２０に沿って移動させることで、転圧可能となる。
さらに、第２７図に示すように、ローラ１２０と独立して回転可能に装着される走行輪１３０を把持して、下肢２００にローラを押し当て、下肢２００の上部を力Ｆ８で押圧しながら、下肢２００に沿ってローラ１２０を転圧させることも可能である。また、同様に下肢２００の側部を下肢２００に沿って転圧させることも可能であり、ローラ１２０よりも径が大きく形成されて、ローラの回転とは独立して装着されているため、走行輪１３０を把持して容易に下肢２００の全体に対して転圧を行うことができる。このとき、走行輪１３０の把持を容易にさせるるために、図示しないが、ローラ１２０と走行輪１３０との間からステー１１０が延設されるように配設することも可能であり、下肢２００が載設されるローラ１２０の両端に走行輪１３０が配設されるとともに、挿入部１０２が確保されるマッサージ器１００の構成において、ステー１１０の位置関係は第２２図に示す位置関係に制限されない。
したがって、この実施の形態（１０）のマッサージ器１００は、ローラ１２０と、ローラ１２０に独立して回転可能に装着される走行輪１３０とが異なる径Ｒ１及びＲ２で形成されているため、ローラ１２０の回転が安定に行われ、ローラ１２０に載設又はローラ１２０に押圧され円滑に転圧される。したがって、下肢２００全体の血行と併せて血液循環系の心臓に相当するポンプを持たないリンパ系のリンパの流れを効率的に促進するとともに、筋肉等をほぐす効果があり、下肢２００の弾力性や柔軟性を回復させることが可能となる。また、ステー１１０の側部１１２及び１１３、走行輪１３０が前述の実施の形態（１）で示した操作部３となり、使用形態に合わせて把持する箇所を変更できるため、操作性が高く、使用時の姿勢が制限されない。
さらに、取手部１４０からローラ１２０までの距離Ｌ３が装着部１１９の長さＬ４よりも大きく形成され、ステー１１０とローラ１２０で囲まれて形成される挿入部１０２により、下肢２００は挿入部１０２から挿入されてローラ１２０に載設されるため、下肢２００に沿って確実に移動を提供するとともに、円滑なマッサージ器１００の転圧を提供することができる。また、操作部３に設けられる取手部１４０は、ローラ１２０に略々平行に配置されるため、挿入部１０２から挿入する下肢２００に対して、取手部１４０を把持してローラ１２０による転圧を行う際に、下肢２００に沿って移動するローラ１２０の移動方向と取手部１４０の操作方向が略一致する。よって、把持する片手の手首は折り曲げる必要がなく、力の入れやすい状態に略々固定されて取手部１４０をローラ１２０の移動方向に操作することが容易となり、ローラ１２０を円滑に下肢２００に沿って転圧させることができる。
さらに、挿入部１０２より下肢２００を挿入させて転圧を行う方法は、下肢２００をローラ１２０に安定した状態で、下肢２００に沿って転圧を行うとともに、下肢２００が転圧される箇所に対して最適な方向にローラ１２０が導かれ、複雑な操作を行うことなく、効果的なマッサージを提供することが可能となる。したがって、片方の下肢２００を挿入部１０２から挿入させ、片手で取手部１４０を把持して下肢２００に沿って容易に転圧を行うことができ、片手での安定した操作が可能となる。また、片方の下肢２００に対してマッサージ器１００を使用する場合には両方の下肢２００を拘束することがなく、使用者に適した使用時の姿勢を提供するとともに、上半身は自由に運動することができるため、ローラ１２０に当接する下肢２００の部位を自由に変更することができ、下肢２００の側部に対して容易に転圧することが可能となる。また、マッサージ器１００の転圧方向に合わせて上半身を柔軟に動かし、ストレッチ等を同時に行うことができ、両方の下肢２００に対してではなく、片方の下肢２００を対象に、片手で操作部１４０を操作するマッサージ方法は、極めて高いマッサージ効果が奏される。
さらに、走行輪１３０を把持して、ローラ１２０を下肢２００に対して押圧することで、極めて容易なローラ１２０による転圧を実現している。
第２８図に実施の形態（１１）を示す。
実施の形態（１１）は、前述の実施の形態（１０）において、ステー１１０に装着されるローラの装着位置を換えたマッサージ器１００の別形態であり、ローラ１２０及び走行輪１３０が着脱可能にステー１１０に装着される。
この実施の形態（１１）のマッサージ器１００ａは、前述の実施の形態（１０）のステー１１０同様に略々コの宇状に形成されたステー１１０ａの辺１１３ａ（装着部１１９ａ）にローラ１２０が装着され、略々コの字状に開放された開口１１４ａはローラ１２０の側部に位置する。また、辺１１１ａには取手部１４０が設けられ、ローラ１２０の両側には走行輪１３０が装着されている。その他の構成に関しても前述の実施の形態（１０）と同様になっている。
したがって、実施の形態（１１）のマッサージ器１００ａは、略々コの字状に開放された開口１１４ａから下肢２００を容易にローラ１２０に載設でき、ローラ１２０による転圧を行うことが可能となる。また、ステー１１０ａは変形することなく、ローラ１２０を固定し、下肢２００に沿って転圧するローラ１２０は安定したマッサージを提供することができる。
さらに、ローラ１２０及び走行輪１３０は、ステー１１０ａに開口１１４ａ方向から着脱自在に装着することが可能であり、使用者の差異によってローラ１２０及び走行輪１３０を交換することができる。したがって、マッサージ器１００ａの汎用性が向上するとともに、ローラ１２０及び走行輪１３０のメンテナンスが容易に行え、常に最適なマッサージを提供することができる。なお、その他の作用、効果においては、前述の実施の形態（１０）と同様に奏される。
以上、図示した実施の形態の外に、実施の形態（１０）の走行輪１３０を実施の形態（１）の第１ローラ２０の両側に設けて、床面に座して使用することも可能であり、走行輪１３０の外周に緩衝材等を被覆して走行輪１３０が走行する床面の状態（フローリングやカーペット等での使用状態）に適合させることも可能である。
また、ステー１０の操作部３が折曲形成されているが、折曲形成の箇所は、連結部５１付近に限定されず、折曲箇所を複数設けて多段に折り曲げて形成することも可能であり、上述の実施の形態で示したそれぞれの構成は、その実施の形態に限定されるものではない。
また、ステー１０、第１ローラ２０及び第２ローラ３０、ローラ１２０には、偏心モータを取付け、ローラを自動に回転可能に振動させてマッサージ効果を向上させたマッサージ器を提供することも可能である。
また、ローラ本体部の外表を被覆する保護部材に突起部を設けたり、ローラの表面又は内部に軟部と硬部を交互に形成して、転圧される手足に対して指圧効果を提供することも可能である。
また、ローラ１２０、第１ローラ２０及び第２ローラ３０に、遠赤外線を発する部材を採用し、手足を温めてマッサージ効果を向上させることも可能で、各ローラの外周を被覆する保護部材においては、帯電防止処理を施して静電気等によるゴミ類の付着を防止したり、抗菌処理を施して細菌等の繁殖を防止させ清潔な状態を保持させるなど、汚れ等による不快感を使用者に与えない清潔なマッサージ器を提供することもできる。また、ステー１０又は各ローラに香料等を設けてアロマセラピィ効果を利用し、よりリラックスした状態での使用を提供してマッサージ効果を向上させることも可能であり、種々のローラを採用することが可能であり、上述したローラの形状は制限されるものではない。
次に、実施例を用いて本発明を詳細に説明する。
【実施例１】
第１図におけるマッサージ器１は、ステー１０に、径が約５ｍｍのステンレス製のパイプを採用し、連結杆５０もステー１０と同様の径が約５ｍｍのステンレス製のパイプを用いる。
第１ローラ２０のローラ本体部２１は、径が約３０ｍｍで幅が約１５０ｍｍで、木製のローラ本体部を採用している。ローラ本体部２１の外表を被覆する保護部材２２は、厚さ約５ｍｍで針入度が約１００のウレタン又はゴム質の材料を使用している。第２ローラ３０は第１ローラ２０と同様の材質で構成され、ローラ本体部３１の径は約１５ｍｍであり、保護部材２２の針入度とは異なる針入度が約８０で厚さ約１７ｍｍの保護部材３２によって被覆されている。また、それぞれの中心には、径が約５ｍｍでステー１０及び連結杆５０が挿入可能な挿入孔２１ｂ及び３１ｂが穿孔されている。挿入孔２１ｂ及び３１ｂの端部には径が約１０ｍｍのベアリング４０、４０ａが嵌合可能に形成された嵌合溝２１ａ、３１ａが設けられている。なお、針入度はＪＩＳＫ２５３０に規格に準ずる。
そして、第２図に示すように、略々コの字状に折曲形成前のステー１０にベアリング４０とともに装着し、第１ローラ２０がガタ付かないように、中心に約５ｍｍの孔が穿孔された止め金２４を装着する。その後、ステー１０の第１ローラ２０に幅に合わせて略々コの字状に折曲形成する。また、第２ローラ３０も同様に、連結杆５０にベアリング４０ａ、止め金３４を介して装着し、ステーに１０の連結部５２にピン５１で連結固定する。このときの第１ローラ２０と第２ローラとのローラ間距離Ｌは、約９００ｍｍとなっている。
また、操作部３の端部に設けられる取手部４は、径が約３０ｍｍ、厚さが約１０ｍｍの円筒体で形成されている。そして、この連結部５０から操作部３までは、１３５°〜１６５°の傾斜角で折曲されている。
このように構成されたマッサージ器１は、下肢２００の形状に適合させるように、操作部３を操作し、ステー１０を下肢２００の形状に応じて傾斜させることで、ステー１０の傾斜度を変化させ、第１ローラ２０と第２ローラ３０とが下肢２００の基準軸Ｇとのなす角度θａ及びθｂが約３０°〜９０°に調整され、ローラ間距離Ｌ′が約４５０ｍｍ（＝１／２×Ｌ）〜約９００ｍｍ（＝Ｌ）の間で調整され、下肢２００の各部位を挟持することができた。したがって、一定のローラ間距離約９００ｍｍで固定されている第１ローラ２０と第２ローラ３０との間の距離に関係なく、下肢２００に沿ってスムーズで容易な転圧を提供することができることが確認できた。
また、ステー１０は連結部５２から１３５°〜１６５°の傾斜角で折曲されて形成されているため、使用時の姿勢を下肢２００に無理に近づける必要はなく、使用者の姿勢は常に安定したものとなった。また、場所をとらずに使用でき、下肢２００を同時に２方向から押圧するため、約５分足らずの極めて短時間の間に効果的なマッサージを提供できることが確認できた。
【実施例２】
第１７図におけるマッサージ器１ｆは、前述の実施例１の別形態であり、ステー１０ｂ、１０ｃ、操作部３、取手部４ａ等をポリカーボネードで形成する。
第１ローラ２０ａ、第２ローラ３０ａは、前述の実施の形態（９）と同様とし、伸縮調整機構７０ａは、ステー１０ｂ等と同様に熱可塑性樹脂や熱硬化性樹脂で形成すると、軽量化が図れる。
ステー１４ｂの幅をｄ３＝約１１ｍｍに形成し、ステー１４ｂの幅ｄ３と係合する空洞Ｈの内幅も約１１ｍｍに形成する。さらに、ステー１４ａの強度を保つために、空洞Ｈの壁幅は約３ｍｍとなるように、ステー１４ａの幅ｄ４を約１７ｍｍで形成する。
操作部３と取手部４ａとの間に形成される挿入孔４ｂは、長辺Ｌ７＝約５０ｍｍ、短辺＝約３０ｍｍの台形状とし、２本の指が挿入可能な大きさに形成される。
また、操作部３の端部（取手部４ａ）から距離Ｌ８＝約７５ｍｍから傾斜角θ＋θ１＝約１６０°となるように、操作部３の傾斜角を調整して形成する。
したがって、第１ローラ２０ａと第２ローラ３０ａとの距離を伸縮調整機構７０ａによりワンタッチで調整可能となり、挿入孔４ｂにより取手部４ａの把持性が向上され、マッサージ器１ｆの操作性がより向上したことが確認できた。
さらに、操作部３の端部（取手部４ａ）から距離Ｌ８＝約７５ｍｍから傾斜角θ＋θ１＝約１６０°となるように、操作部３の傾斜角を調整して形成したので、使用者の近傍、例えば、脹脛の上部や大腿部付近での使用時に、ステー１０ｂの傾斜角が浅くなる分、操作部３や取手部４ａが妨げにならず、円滑な操作を行うことが確認できた。
また、全体をポリカーボネードで形成しているため、軽量化が図られるとともに、生産性、組み立てにおける作業効率等の向上が確認できた。
【実施例３】
第２２図におけるマッサージ器１００は、ステー１１０に、径が約５ｍｍのステンレス製のパイプを採用している。
ローラ１２０のローラ本体部１２１は、径が約３０ｍｍで幅が約１６０ｍｍで、木製のローラ本体部を採用している。ローラ本体部１２１の外表を被覆する保護部材１２２は、厚さ約１０ｍｍのウレタン又はゴム質で収縮性のある材料を使用し、針入度が約８０である。ローラ本体部１２１の径の中心には、径が約１５ｍｍのベアリング１５０が嵌合可能に形成された嵌合溝１２１ａが設けられている。
走行輪１３０は、木製で幅約１０ｍｍ、径が約６５ｍｍの円筒形に形成され、中心には、径が約１０ｍｍのベアリング１５１が嵌合可能に形成された嵌合溝１３１ａが設けられている。
そして、このマッサージ器１００を第２３図に示すように、ローラ１２０と走行輪１３０とが独立して回転可能となるように一体に組付けられる。前述の実施例（１）と同様に止め金１３１をベアリング１５１の外側に装着することで走行輪１３０とローラ１２０のガタ付きを防止する。このとき、ステー１１０は、辺１１１の長さが約１４０ｍｍ、開放された端部１１４の長さが約２００ｍｍとなるように、略々コの字状に折曲形成する。
したがって、ローラ１２０と独立して回転可能に装着される走行輪１３０により、ローラ１２０の回転が安定に行われ、ローラ１２０に載設又はローラ１２０に押圧される下肢２００が円滑に転圧されることが確認できた。また、ステー１１０の側部１１２及び１１３、走行輪１３０が操作部３となり、使用形態に合わせて把持する箇所を変更できるため、操作性が高く、使用時の姿勢が制限されないことも確認できた。
さらに、片方の下肢２００を挿入部１０２から挿入させ、片手で取手部１４０を把持して下肢２００に沿って容易に転圧を行うことができ、片手での安定した操作が可能となり、片方の下肢２００に対してマッサージ器１００を使用する場合には両方の下肢２００を拘束することがなく、使用者に適した使用時の姿勢を提供するとともに、上半身は自由に運動することができるため、ローラ１２０に当接する下肢２００の部位を自由に変更することができ、下肢２００の側部に対して容易に転圧することが可能となることが確認できた。
【産業上の利用可能性】
以上のように、第１の発明を実施するための最良の形態における本発明のマッサージ器は、手足の形状に適合させるように、操作部を操作し、ステーを手足の形状に応じて傾斜させることで、ステーの傾斜度を変化させ、複数のローラ間の距離を調整することで、一定距離に固定されているローラ間に挟持される手足に沿ってスムーズで容易な転圧を提供することができる。
さらに、複数のローラが第１ローラ及び第２ローラで構成され、手足を同時に２方向から押圧し、取手部を手足に沿って操作するで手足全体を移動可能に転圧できる。また、テコの原理を採用しているため、最小の力で手足を挟持し、第１ローラ及び第２ローラへの力の加減も容易に行え、手足に沿って移動する際の力は、第１ローラ及び第２ローラの押圧を弱めることなく、円滑なマッサージを提供することができる。
さらに、ステーは連結部から折曲げられて形成されているため、使用時の姿勢においても無理なく操作部を把持することができ、使用時の姿勢は制限されないことから、航空、鉄道等による長時間の移動の際や、オフィス等においても、場所をとる必要がない。
また、上半身に近い下肢の大腿部付近においても、マッサージ器の操作性は欠如することなく、操作部を操作して転圧可能であり、手足全体に十分なマッサージを提供することが可能となる。
また、本発明のマッサージ器は、下肢に沿って転圧する際に、走行輪が床面に当接しながら回転し、下肢に保護部材を介して当接するローラが走行輪の回転方向とは逆方向に回転するとともに、走行輪とローラとが独立して逆方向に回転するので下肢に沿って転圧可能となる。また、走行輪とローラとの径が異なるため角速度の違いにより下肢はローラによって円滑に転圧され、使用形態に合わせて把持する箇所を変更できるため、操作性が高く、使用時の姿勢が制限されない効果を有する。
また、本発明のマッサージ方法は、手足を挟持するようにステーに一体に組付けされて形成される挿入部から手足を挿入させることで、操作部を操作してステーの傾斜度を変化させ、ローラ間距離を調整する際にマッサージ器から手足が離脱することなく行われ、転圧する複数のローラ移動が手足に沿って導かれる効果を有する。
また、本発明のマッサージ方法は、走行輪によってローラに載設される下肢が安定に支持され、下肢の自重圧に対する反力を利用して、下肢を十分かつ最適なマッサージを提供し、下肢全体の血行と併せて、血液循環系の心臓に相当するポンプを持たないリンパ系のリンパの流れを効率的に促進するとともに、筋肉等をほぐす効果があり、下肢２００の弾力性や柔軟性を回復させることが可能となる。また、挿入部に下肢を挿入させ下肢に沿ってローラを移動させるため、下肢が転圧される箇所に対して最適な方向にローラが導かれ、複雑な操作を行うことなく効果的なマッサージを提供する。
さらに、片方の下肢を挿入部から挿入させ、片手で取手部を把持して下肢に沿って容易に転圧を行うことができ、片手での安定した操作が可能となる。また、片方の下肢に対してマッサージ器を使用する場合には両方の下肢を拘束することがなく、使用者に適した使用時の姿勢を提供するとともに、上半身は自由に運動することができるため、ローラに当接する下肢の部位を自由に変更することができ、下肢の側部に対して容易に転圧することが可能となる。また、マッサージ器の転圧方向に合わせて上半身を柔軟に動かし、ストレッチ等を同時に行うことができ、両方の下肢に対してではなく、片方の下肢を対象に、片手で操作部を操作するマッサージ方法は、高いマッサージ効果が奏される。
また、本発明のマッサージ方法は、ローラと独立して回転可能に装着される走行輪を把持して、下肢にローラを押し当て、下肢の上部を押圧しながら、下肢に沿ってローラを転圧させことを可能とするため、下肢の全体に対して容易に転圧を行うことができる。
【手続補正００２】
【補正対象書類名】特許請求の範囲
【補正対象項目名】全文
【補正方法】変更
【補正の内容】
【書類名】特許請求の範囲
【請求項１】ステーと、ステーに設けられる操作部と、ステーに回転可能に装着されるローラとからなるマッサージ器において、
上記ローラは、手足を挟持させるようにステーに組付けされる複数のローラで構成されるとともに、複数のローラ間のステーの延長方向に上記操作部が配置され、上記操作部の操作によりステーの傾斜度を変えることで、複数のローラ間の距離が調整されて手足の形状に沿って転圧されるとともに、手足を押圧する負荷が加減されることを特徴とするマッサージ器。
【請求項２】請求項１記載のマッサージ器において、複数のローラは、手足に沿って同時に複数方向から移動自在に転圧することを特徴とするマッサージ器。
【請求項３】請求項１又は２記載のマッサージ器において、操作部は、複数のローラ間のステーの延長方向から所望の傾斜角に配置されることを特徴とするマッサージ器。
【請求項４】請求項１又は２記載のマッサージ器において、ローラは、ステーに回転可能に連結されるローラ本体部と、前記ローラ本体部の周囲に設けられる保護部材とで構成されることを特徴とするマッサージ器。
【請求項５】請求項３記載のマッサージ器において、ローラは、ステーに回転可能に連結されるローラ本体部と、前記ローラ本体部の周囲に設けられる保護部材とで構成されることを特徴とするマッサージ器。
【請求項６】請求項４記載のマッサージ器において、上記保護部材は、針入度の異なる弾性材から成ることを特徴とするマッサージ器。
【請求項７】請求項５記載のマッサージ器において、上記保護部材は、針入度の異なる弾性材から成ることを特徴とするマッサージ器。
【請求項８】請求項１又は２記載のマッサージ器において、ステーには、上記複数のローラの組付け位置を変更する組付調整機構が設けられることを特徴とするマッサージ器。
【請求項９】請求項３記載のマッサージ器において、ステーには、上記複数のローラの組付け位置を変更する組付調整機構が設けられることを特徴とするマッサージ器。
【請求項１０】請求項４記載のマッサージ器において、ステーには、上記複数のローラの組付け位置を変更する組付調整機構が設けられることを特徴とするマッサージ器。
【請求項１１】請求項５〜７いずれか記載のマッサージ器において、ステーには、上記複数のローラの組付け位置を変更する組付調整機構が設けられることを特徴とするマッサージ器。
【請求項１２】請求項１又は２記載のマッサージ器において、ステーは、伸縮調整機構が設けられていることを特徴とするマッサージ器。
【請求項１３】請求項３記載のマッサージ器において、ステーは、伸縮調整機構が設けられていることを特徴とするマッサージ器。
【請求項１４】請求項４記載のマッサージ器において、ステーは、伸縮調整機構が設けられていることを特徴とするマッサージ器。
【請求項１５】請求項５〜７いずれか記載のマッサージ器において、ステーは、伸縮調整機構が設けられていることを特徴とするマッサージ器。
【請求項１６】請求項８記載のマッサージ器において、ステーは、伸縮調整機構が設けられていることを特徴とするマッサージ器。
【請求項１７】請求項９又は１０記載のマッサージ器において、ステーは、伸縮調整機構が設けられていることを特徴とするマッサージ器。
【請求項１８】請求項１１記載のマッサージ器において、ステーは、伸縮調整機構が設けられていることを特徴とするマッサージ器。
【請求項１９】請求項１又は２記載のマッサージ器において、複数のローラの間に配設されるステーには、バネ部材が設けられていることを特徴とするマッサージ器。
【請求項２０】請求項３記載のマッサージ器において、複数のローラの間に配設されるステーには、バネ部材が設けられていることを特徴とするマッサージ器。
【請求項２１】請求項４記載のマッサージ器において、複数のローラの間に配設されるステーには、バネ部材が設けられていることを特徴とするマッサージ器。
【請求項２２】請求項５〜７いずれか記載のマッサージ器において、複数のローラの間に配設されるステーには、バネ部材が設けられていることを特徴とするマッサージ器。
【請求項２３】請求項８記載のマッサージ器において、複数のローラの間に配設されるステーには、バネ部材が設けられていることを特徴とするマッサージ器。
【請求項２４】請求項９又は１０記載のマッサージ器において、複数のローラの間に配設されるステーには、バネ部材が設けられていることを特徴とするマッサージ器。
【請求項２５】請求項１１記載のマッサージ器において、複数のローラの間に配設されるステーには、バネ部材が設けられていることを特徴とするマッサージ器。
【請求項２６】請求項１２記載のマッサージ器において、複数のローラの間に配設されるステーには、バネ部材が設けられていることを特徴とするマッサージ器。
【請求項２７】請求項１３又は１４記載のマッサージ器において、複数のローラの間に配設されるステーには、バネ部材が設けられていることを特徴とするマッサージ器。
【請求項２８】請求項１５記載のマッサージ器において、複数のローラの間に配設されるステーには、バネ部材が設けられていることを特徴とするマッサージ器。
【請求項２９】請求項１６記載のマッサージ器において、複数のローラの間に配設されるステーには、バネ部材が設けられていることを特徴とするマッサージ器。
【請求項３０】請求項１７記載のマッサージ器において、複数のローラの間に配設されるステーには、バネ部材が設けられていることを特徴とするマッサージ器。
【請求項３１】請求項１８記載のマッサージ器において、複数のローラの間に配設されるステーには、バネ部材が設けられていることを特徴とするマッサージ器。
【請求項３２】請求項１又は２記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３３】請求項３記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３４】請求項４記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３５】請求項５〜７記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３６】請求項８記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３７】請求項９又は１０記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３８】請求項１１記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項３９】請求項１２記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４０】請求項１３又は１４記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４１】請求項１５記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４２】請求項１６記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４３】請求項１７記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４４】請求項１８記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４５】請求項１９記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４６】請求項２０又は２１記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４７】請求項２２記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４８】請求項２３記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項４９】請求項２４記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項５０】請求項２５又は２６記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項５１】請求項２７記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項５２】請求項２８〜３１いずれか記載のマッサージ器において、複数のローラは、上記操作部の反対側のステーの端部に装着される第１ローラと、上記操作部と上記第１ローラとの間に装着される第２ローラとで構成され、上記第１ローラ及び第２ローラにより手足が２方向から挟持されることを特徴とするマッサージ器。
【請求項５３】ステーと、ステーに設けられる操作部と、ステーに回転可能に装着されるローラとからなるマッサージ器において、
操作部には、前記ローラに略々平行に配置される取手部が設けられ、ローラの両端には、ローラより拡径されてローラの回転とは独立して回転する走行輪が設けられ、前記ローラは、前記ステーの装着部に前記走行輪とともに一体に組付けされ、前記ステーと前記ローラとで囲まれて形成される挿入部から手足を挿入させ、手足に当接して回転する前記ローラが前記走行輪の回転とは独立して手足に沿って転圧し、前記取手部から前記ローラまでの距離をＬ３とし、前記装着部の長さをＬ４としたときに、Ｌ３＞Ｌ４であることを特徴とするマッサージ器。
【請求項５４】ステーと、ステーに設けられる操作部と、ステーに回転可能に装着されるローラとからなるマッサージ器において、
操作部には、前記ローラに略々平行に配置される取手部が設けられ、前記ローラは、前記ステーの装着部に前記走行輪とともに一体に組付けされ、前記ステーと前記ローラとで囲まれて形成される挿入部から手足を挿入させ、手足に当接して回転する前記ローラが前記走行輪の回転とは独立して手足に沿って転圧し、前記走行輪は着脱可能であることを特徴とするマッサージ器。




【国際調査報告】
2003068129.tif 000031
2003068129.tif 000032
2003068129.tif 000033
2003068129.tif 000034